(57)【要約】【課題】カードの利用にかかる安全性を向上させること。【解決手段】利用者端末１２１は、パスワードの情報と、パスワードの情報の宛先とを利用者から受け付ける。通信端末１３１は、利用者端末１２１から、自装置を宛先としたパスワードの情報を受信することに応じて、パスワードの情報と、認証サーバ１１１によって自装置が特定されるための特定情報（アドレス情報）とを対応付けて認証サーバ１１１へ送信する。認証サーバ１１１は、通信装置１３１から、パスワードの情報と特定情報とを受信すると、クレジットカード１２２の識別情報と対応付けて記憶部に記憶されるパスワードの情報および特定情報と、受信した各情報と、に基づいて、クレジットカード１２２の利用に関する認証をおこなう。認証サーバ１１１は、認証に成功すると、受信したパスワードの情報に対応する識別情報が示すクレジットカード１２２の利用が可能な旨を示す認証結果を出力する。【選択図】図４
2019133465.tif 000002
【特許請求の範囲】
【請求項１】
認証要求の依頼先を利用者から受け付ける端末装置から前記依頼先が示す通信装置へ送信された認証要求依頼を、前記通信装置が受信することに応じて、前記通信装置から、前記通信装置を特定するための特定情報を受信する受信手段と、
カードの識別情報と対応付けて記憶手段に記憶される特定情報と、前記受信手段によって受信された特定情報と、に基づいて、前記カードの利用に関する認証をおこなう認証手段と、
前記認証手段による認証に成功した場合に、前記受信手段によって受信された特定情報に対応する識別情報が示すカードの利用が可能な旨を示す認証結果を出力する出力制御手段と、
を有することを特徴とする認証装置。
【請求項２】
パスワードの情報と前記パスワードの情報の宛先とを利用者から受け付ける端末装置から前記宛先が示す通信装置へ送信された前記パスワードの情報を、前記通信装置が受信することに応じて、前記通信装置から、前記パスワードの情報と前記通信装置を特定するための特定情報とを受信する受信手段と、
カードの識別情報と対応付けて記憶手段に記憶されるパスワードの情報および特定情報と、前記受信手段によって受信されたパスワードの情報および特定情報と、に基づいて、前記カードの利用に関する認証をおこなう認証手段と、
前記認証手段による認証に成功した場合に、前記受信手段によって受信されたパスワードの情報に対応する識別情報が示すカードの利用が可能な旨を示す認証結果を出力する出力制御手段と、
を有することを特徴とする認証装置。
【請求項３】
前記受信手段は、前記通信装置から、パスワードの情報、特定情報、および前記通信装置が有する所定の機能に応じた付加情報を受信し、
前記認証手段は、カードの識別情報と対応付けて前記記憶手段に記憶されるパスワードの情報、特定情報、および付加情報と、前記受信手段によって受信されたパスワードの情報、特定情報、および付加情報と、に基づいて認証をおこなう、
ことを特徴とする請求項２に記載の認証装置。
【請求項４】
前記受信手段は、前記端末装置から前記通信装置へパスワードの情報が送信される際に前記端末装置から送信される認証開始を示す情報を受信し、
前記出力制御手段は、前記受信手段によって前記認証開始を示す情報が前記端末装置から受信され、且つ、前記認証に成功した場合に、前記カードの利用が可能な旨を示す認証結果を出力する、
ことを特徴とする請求項２または３に記載の認証装置。
【請求項５】
前記出力制御手段は、前記受信手段によって前記認証開始を示す情報が前記端末装置から受信されてから、所定期間内に前記通信装置からパスワードの情報と特定情報とが受信されない場合に、前記通信装置にパスワードの情報と特定情報との送信要求をおこなう、ことを特徴とする請求項４に記載の認証装置。
【請求項６】
前記受信手段は、前記端末装置および前記通信装置のいずれかから、前記通信装置の位置に関する情報を受信し、
前記出力制御手段は、前記認証に成功した場合であり、且つ、前記受信手段によって受信された前記位置に関する情報に基づいて前記通信装置が所定の位置にあると判断した場合に、前記カードの利用が可能な旨を示す認証結果を出力する、ことを特徴とする請求項２〜５のいずれか一つに記載の認証装置。
【請求項７】
認証要求の依頼先を利用者から受け付ける端末装置から前記依頼先が示す通信装置へ送信された認証要求依頼を、前記通信装置が受信することに応じて、前記通信装置から、前記通信装置を特定するための特定情報を受信し、
カードの識別情報と対応付けて記憶部に記憶される特定情報と、受信した特定情報と、に基づいて、前記カードの利用に関する認証をおこない、
前記認証に成功した場合に、受信した特定情報に対応する識別情報が示すカードの利用が可能な旨を示す認証結果を出力する、
処理をコンピュータが実行することを特徴とする認証方法。
【請求項８】
認証要求の依頼先を利用者から受け付ける端末装置から前記依頼先が示す通信装置へ送信された認証要求依頼を、前記通信装置が受信することに応じて、前記通信装置から、前記通信装置を特定するための特定情報を受信し、
カードの識別情報と対応付けて記憶部に記憶される特定情報と、受信した特定情報と、に基づいて、前記カードの利用に関する認証をおこない、
前記認証に成功した場合に、受信した特定情報に対応する識別情報が示すカードの利用が可能な旨を示す認証結果を出力する、
処理をコンピュータに実行させることを特徴とする認証プログラム。
【請求項９】
認証要求の依頼先を受け付ける端末装置から、自装置を依頼先とした認証要求依頼を受信する受信手段と、
前記受信手段によって前記認証要求依頼が受信されることに応じて、認証装置によって自装置が特定されるための特定情報を前記認証装置へ送信させる送信制御手段と、
を有することを特徴とする通信装置。
【請求項１０】
前記認証要求依頼は、パスワードの情報を含み、
前記送信制御手段は、前記受信手段によって前記パスワードの情報が受信されることに応じて、前記パスワードの情報と、前記特定情報と、を対応付けて前記認証装置へ送信させる、
ことを特徴とする請求項９に記載の通信装置。
【請求項１１】
前記特定情報は、前記通信装置に割り当てられる固有のアドレス情報であり、
前記通信装置は、非可搬型の通信装置である、
ことを特徴とする請求項９または１０に記載の通信装置。
【発明の詳細な説明】
【技術分野】
【０００１】
この発明は、カードの認証に用いられる、認証装置、認証方法、認証プログラム、および通信装置に関する。
【背景技術】
【０００２】
従来、商品を購入した場合やサービスの提供を受けた場合の対価の支払方法として、現金による支払い方法のほかに、たとえば、クレジットカードによる支払方法がある。クレジットカードを利用する際に、利用者は、たとえば、クレジットカードの情報を読み取る決済端末に暗証番号を入力し、カード会社による当該暗証番号を用いた認証に成功すると、クレジットカードが利用可能になる。
【０００３】
また、近年、クレジットカードの不正利用による被害は、増加の一途を辿っている。たとえば、スキミングにより、クレジットカードの番号が盗まれたり、クレジットカードが偽造されたりすることにより、クレジットカードが不正利用される。このような不正利用により、クレジットカード業界における年間あたりの被害額は、数十億円にも上り、クレジットカード会社では種々の対策が講じられている。
【０００４】
たとえば、クレジットカードの利用時に、予め登録される携帯電話機を呼び出し、呼び出された携帯電話機から支払データの確認や支払の承認をおこなう方法が開示されている（たとえば、下記特許文献１参照。）。
【先行技術文献】
【特許文献】
【０００５】
【特許文献１】特開２００１−３０６９８７号公報
【発明の概要】
【発明が解決しようとする課題】
【０００６】
しかしながら、従来技術では、各種対策を講じたとしても、暗証番号やカード番号が漏洩したり、盗み取られたりすると、第三者によるカードの不正利用が可能になり、カードの利用にかかる安全性が低い、という問題があった。たとえば、特許文献１の技術では、暗証番号やカード番号とともに、携帯電話機が盗まれてしまうと、カードの不正利用が可能になり、カードの利用にかかる安全性が低い、という問題があった。
【０００７】
この発明は、上述した従来技術による問題点を解消するため、暗証番号やカード番号が漏洩したり、盗み取られたりしても、第三者によるカードの不正利用を抑制し、カードの利用にかかる安全性を向上させることができる認証装置、認証方法、認証プログラム、および通信装置を提供することを目的とする。
【課題を解決するための手段】
【０００８】
上述した課題を解決し、目的を達成するため、この発明にかかる認証装置は、認証要求の依頼先を利用者から受け付ける端末装置から前記依頼先が示す通信装置へ送信された認証要求依頼を、前記通信装置が受信することに応じて、前記通信装置から、前記通信装置を特定するための特定情報を受信する受信手段と、カードの識別情報と対応付けて記憶手段に記憶される特定情報と、前記受信手段によって受信された特定情報と、に基づいて、前記カードの利用に関する認証をおこなう認証手段と、前記認証手段による認証に成功した場合に、前記受信手段によって受信された特定情報に対応する識別情報が示すカードの利用が可能な旨を示す認証結果を出力する出力制御手段と、を有することを特徴とする。
【０００９】
また、この発明にかかる認証装置は、パスワードの情報と前記パスワードの情報の宛先とを利用者から受け付ける端末装置から前記宛先が示す通信装置へ送信された前記パスワードの情報を、前記通信装置が受信することに応じて、前記通信装置から、前記パスワードの情報と前記通信装置を特定するための特定情報とを受信する受信手段と、カードの識別情報と対応付けて記憶手段に記憶されるパスワードの情報および特定情報と、前記受信手段によって受信されたパスワードの情報および特定情報と、に基づいて、前記カードの利用に関する認証をおこなう認証手段と、前記認証手段による認証に成功した場合に、前記受信手段によって受信されたパスワードの情報に対応する識別情報が示すカードの利用が可能な旨を示す認証結果を出力する出力制御手段と、を有することを特徴とする。
【００１０】
また、この発明にかかる認証装置は、上記発明において、前記受信手段は、前記通信装置から、パスワードの情報、特定情報、および前記通信装置が有する所定の機能に応じた付加情報を受信し、前記認証手段は、カードの識別情報と対応付けて前記記憶手段に記憶されるパスワードの情報、特定情報、および付加情報と、前記受信手段によって受信されたパスワードの情報、特定情報、および付加情報と、に基づいて認証をおこなう、ことを特徴とする。
【００１１】
また、この発明にかかる認証装置は、上記発明において、前記受信手段は、前記端末装置から前記通信装置へパスワードの情報が送信される際に前記端末装置から送信される認証開始を示す情報を受信し、前記出力制御手段は、前記受信手段によって前記認証開始を示す情報が前記端末装置から受信され、且つ、前記認証に成功した場合に、前記カードの利用が可能な旨を示す認証結果を出力する、ことを特徴とする。
【００１２】
また、この発明にかかる認証装置は、上記発明において、前記出力制御手段は、前記受信手段によって前記認証開始を示す情報が前記端末装置から受信されてから、所定期間内に前記通信装置からパスワードの情報と特定情報とが受信されない場合に、前記通信装置にパスワードの情報と特定情報との送信要求をおこなう、ことを特徴とする。
【００１３】
また、この発明にかかる認証装置は、上記発明において、前記受信手段は、前記端末装置および前記通信装置のいずれかから、前記通信装置の位置に関する情報を受信し、前記出力制御手段は、前記認証に成功した場合であり、且つ、前記受信手段によって受信された前記位置に関する情報に基づいて前記通信装置が所定の位置にあると判断した場合に、前記カードの利用が可能な旨を示す認証結果を出力する、ことを特徴とする。
【００１４】
また、この発明にかかる認証方法は、認証要求の依頼先を利用者から受け付ける端末装置から前記依頼先が示す通信装置へ送信された認証要求依頼を、前記通信装置が受信することに応じて、前記通信装置から、前記通信装置を特定するための特定情報を受信し、カードの識別情報と対応付けて記憶部に記憶される特定情報と、受信した特定情報と、に基づいて、前記カードの利用に関する認証をおこない、前記認証に成功した場合に、受信した特定情報に対応する識別情報が示すカードの利用が可能な旨を示す認証結果を出力する、処理をコンピュータが実行することを特徴とする。
【００１５】
また、この発明にかかる認証プログラムは、認証要求の依頼先を利用者から受け付ける端末装置から前記依頼先が示す通信装置へ送信された認証要求依頼を、前記通信装置が受信することに応じて、前記通信装置から、前記通信装置を特定するための特定情報を受信し、カードの識別情報と対応付けて記憶部に記憶される特定情報と、受信した特定情報と、に基づいて、前記カードの利用に関する認証をおこない、前記認証に成功した場合に、受信した特定情報に対応する識別情報が示すカードの利用が可能な旨を示す認証結果を出力する、処理をコンピュータに実行させることを特徴とする。
【００１６】
また、この発明にかかる通信装置は、認証要求の依頼先を受け付ける端末装置から、自装置を依頼先とした認証要求依頼を受信する受信手段と、前記受信手段によって前記認証要求依頼が受信されることに応じて、認証装置によって自装置が特定されるための特定情報を前記認証装置へ送信させる送信制御手段と、を有することを特徴とする。
【００１７】
また、この発明にかかる通信装置は、上記発明において、前記認証要求依頼は、パスワードの情報を含み、前記送信制御手段は、前記受信手段によって前記パスワードの情報が受信されることに応じて、前記パスワードの情報と、前記特定情報と、を対応付けて前記認証装置へ送信させる、ことを特徴とする。
【００１８】
また、この発明にかかる通信装置は、上記発明において、前記特定情報は、前記通信装置に割り当てられる固有のアドレス情報であり、前記通信装置は、非可搬型の通信装置である、ことを特徴とする。
【発明の効果】
【００１９】
この発明にかかる認証装置、認証方法、認証プログラム、および通信装置によれば、暗証番号やカード番号が漏洩したり、盗み取られたりしても、第三者によるカードの不正利用を抑制し、カードの利用にかかる安全性を向上させることができる、という効果を奏する。
【図面の簡単な説明】
【００２０】
【図１】図１は、実施の形態にかかる認証システム１００のシステム構成例を示す説明図である。
【図２Ａ】図２Ａは、認証サーバ１１１のハードウエア構成の一例を示すブロック図である。
【図２Ｂ】図２Ｂは、利用者端末１２１のハードウエア構成の一例を示すブロック図である。
【図２Ｃ】図２Ｃは、通信装置１３１のハードウエア構成の一例を示すブロック図である。
【図３Ａ】図３Ａは、カード情報データベース（ＤＢ）１１２の記憶内容の一例を示す説明図である。
【図３Ｂ】図３Ｂは、認証情報データベース（ＤＢ）１１３の記憶内容の一例を示す説明図である。
【図４】図４は、本実施の形態にかかる認証システム１００の認証方法の一例を示す図である。
【図５】図５は、本実施の形態にかかる認証システム１００の機能的構成を示す説明図である。
【図６】図６は、利用者端末１２１に表示される操作画面の一例を示す説明図である。
【図７】図７は、利用者端末１２１に表示される認証成功画面の一例を示す説明図である。
【図８】図８は、利用者端末１２１に表示される認証失敗画面の一例を示す説明図である。
【図９】図９は、利用者端末１２１がおこなう認証受付処理手順の一例を示すフローチャートである。
【図１０】図１０は、通信装置１３１がおこなう認証用の情報の送信処理手順の一例を示すフローチャートである。
【図１１Ａ】図１１Ａは、認証サーバ１１１がおこなう認証処理手順の一例を示すフローチャート（その１）である。
【図１１Ｂ】図１１Ｂは、認証サーバ１１１がおこなう認証処理手順の一例を示すフローチャート（その２）である。
【発明を実施するための形態】
【００２１】
以下に図面を参照して、この発明にかかる認証装置、認証方法、認証プログラム、および通信装置の実施の形態を詳細に説明する。
【００２２】
（認証システムのシステム構成）
まず、実施の形態にかかる認証システム１００のシステム構成例について説明する。図１は、実施の形態にかかる認証システム１００のシステム構成例を示す説明図である。図１において、認証システム１００は、認証サーバ１１１と、利用者端末１２１と、通信装置１３１と、を有する。
【００２３】
認証サーバ１１１は、この発明にかかる認証装置の一例である。たとえば、認証サーバ１１１は、カード会社に設けられるサーバである。具体的には、認証サーバ１１１は、利用者ごとのクレジットカード１２２の利用の可否等を管理する汎用的なコンピュータ装置である。また、認証サーバ１１１は、たとえば、ＣＰＵ（Ｃｅｎｔｒａｌ  Ｐｒｏｃｅｓｓｉｎｇ  Ｕｎｉｔ）やメモリやインタフェースなどを有するパーソナルコンピュータである。認証サーバ１１１は、カード情報データベース（ＤＢ）１１２と、認証情報ＤＢ１１３とを有する。各ＤＢ１１２，１１３の記憶内容については、図３Ａおよび図３Ｂを用いて後述する。
【００２４】
利用者端末１２１は、たとえば、クレジットカード１２２の利用者が有するコンピュータ装置である。利用者端末１２１には、たとえば、スマートフォンやタブレット型ＰＣ（Ｐｅｒｓｏｎａｌ  Ｃｏｍｐｕｔｅｒ）といったコンピュータ装置が用いられる。利用者端末１２１は、ＣＰＵやメモリやインタフェースなどを有する。
【００２５】
ただし、利用者端末１２１は、スマートフォンやタブレット型ＰＣに限らず、ＰＯＳ（Ｐｏｉｎｔ  Ｏｆ  Ｓａｌｅｓｓｙｓｔｅｍ）端末、デスクトップ型ＰＣ、ノート型ＰＣ、タブレット型ＰＣなどの各種ＰＣ、携帯電話機、ＰＨＳ（Ｐｅｒｓｏｎａｌ  Ｈａｎｄｙｐｈｏｎｅ  Ｓｙｓｔｅｍ）とすることも可能である。
【００２６】
通信装置１３１は、この発明にかかる通信装置の一例である。通信装置１３１は、ＩｏＴ（Ｉｎｔｅｒｎｅｔ  ｏｆ  Ｔｈｉｎｇｓ）の機能を有する。たとえば、通信装置１３１は、利用者の自宅に設置される家電製品等のコンピュータ装置である。具体的には、通信装置１３１は、冷蔵庫、エアコン、テレビ、洗濯機などの家電製品である。通信装置１３１は、ＣＰＵやメモリやインタフェースなどを有する。
【００２７】
認証システム１００において、認証サーバ１１１と、利用者端末１２１と、通信装置１３１とは、有線または無線のネットワーク１４０を介して接続される。ネットワーク１４０は、たとえば、インターネット、移動体通信網などである。ただし、ネットワーク１４０は、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）などであってもよい。
【００２８】
また、認証サーバ１１１には、この発明にかかる認証プログラムがインストールされている。認証サーバ１１１は、利用者端末１２１や、通信装置１３１からの各種要求に応じた処理をおこなって、利用者端末１２１や通信装置１３１に対して各種処理結果を出力する。
【００２９】
（認証サーバ１１１および通信装置１３１のハードウエア構成の一例）
つぎに、認証サーバ１１１および通信装置１３１について、その具体的な構成の一例を説明する。図２Ａは、認証サーバ１１１のハードウエア構成の一例を示すブロック図である。
【００３０】
図２Ａにおいて、認証サーバ１１１を実現するコンピュータ装置は、ＣＰＵ２１１と、メモリ２１２と、通信ＩＦ（Ｉｎｔｅｒｆａｃｅ）２１３と、を備える。コンピュータ装置が備える各部２１１〜２１３は、バス２１０によってそれぞれ接続されている。ＣＰＵ２１１は、コンピュータ装置の全体の制御をつかさどる。
【００３１】
メモリ２１２は、ブートプログラムなどのプログラムや、各種のデータベースのデータなどを記憶する。また、メモリ２１２は、認証プログラムや各種データベースの一部のデータなど、本実施の形態の認証方法にかかる各種のプログラムやデータを記憶する。
【００３２】
また、メモリ２１２は、ＣＰＵ２１１のワークエリアとして使用される。メモリ２１２は、たとえば、ＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）、ＨＤＤ（Ｈａｒｄ  Ｄｉｓｃ  Ｄｒｉｖｅ）、およびＨＤ（Ｈａｒｄ  Ｄｉｓｃ）などによって実現することができる。
【００３３】
通信ＩＦ２１３は、ネットワーク１４０に接続され、コンピュータ装置の内部と、利用者端末１２１や通信装置１３１などの外部装置とのインタフェースをつかさどる。具体的には、通信ＩＦ２１３は、コンピュータ装置の内部と外部装置との間におけるデータの入出力を制御する。
【００３４】
（利用者端末１２１のハードウエア構成の一例）
つぎに、利用者端末１２１のハードウエア構成の一例を説明する。図２Ｂは、利用者端末１２１のハードウエア構成の一例を示すブロック図である。図２Ｂにおいて、利用者端末１２１は、ＣＰＵ２２１と、メモリ２２２と、出力デバイス２２３と、入力デバイス２２４と、通信ＩＦ２２５と、を備える。また、利用者端末１２１が備える各部２２１〜２２５は、バス２２０によってそれぞれ接続されている。
【００３５】
ＣＰＵ２２１は、利用者端末１２１の全体の制御をつかさどる。ＣＰＵ２２１は、メモリ２２２が記憶する各種のプログラムやデータを用いて、利用者端末１２１の全体の制御をつかさどる。メモリ２２２は、たとえば、ＲＯＭ、ＲＡＭ、ＨＤＤ、ＨＤ、およびフラッシュメモリなどによって実現することができる。
【００３６】
出力デバイス２２３は、たとえば、ディスプレイ、スピーカ、音声出力端子などを含む。ディスプレイは、操作内容や、利用者に対する案内情報などを表示する。ディスプレイは、認証サービスにかかる各種の操作画面を表示する。ディスプレイは、たとえば、主に液晶ディスプレイや有機ＥＬ（Ｅｌｅｃｔｒｏ−Ｌｕｍｉｎｅｓｃｅｎｃｅ）ディスプレイなどによって実現することができる。
【００３７】
また、スピーカは、音声、アラーム音などを出力する。音声出力端子は、ヘッドフォーンなどを接続する端子であり、スピーカと同様に、音声、アラーム音などを接続されたヘッドフォーンなどに出力する。
【００３８】
入力デバイス２２４は、文字、数値、各種指示などの入力のためのキーを備え、データ入力をおこなう。入力デバイス２２４は、たとえば、タッチパネルやキーボードなどを含む。タッチパネルやキーボードは、入力操作に応じた信号をＣＰＵ２２１に対して出力する。
【００３９】
タッチパネルは、ディスプレイの表示面側に積層される。タッチパネルは、指やペンなどの筆記部材が接触したことを検出した場合に、タッチパネルに対する筆記部材の接触位置に応じた電気信号を出力する。タッチパネルは、たとえば抵抗膜方式や静電容量方式、音響パルス認識方式、超音波表面弾性波方式、赤外遮光方式、画像認識方式など公知の各種の方式のものを用いることができる。
【００４０】
また、入力デバイス２２４は、カメラを含む。カメラは、静止画や動画を撮像する。具体的には、たとえば、カメラは、ＣＰＵ２２１によって制御されて撮像対象を撮像し、画像データを生成したり、バーコードやＱＲコード（登録商標）といった二次元コードを撮影して入力したり、ＯＣＲ（Ｏｐｔｉｃａｌ  Ｃｈａｒａｃｔｅｒ  Ｒｅａｄｅｒ）機能を用いて撮影した文字をデータ化して入力する。
【００４１】
また、入力デバイス２２４は、マイクを含む。マイクは、アナログデータとして入力された話者の声をアナログ／デジタル変換し、デジタル形式の音声データを生成する。マイクを用いることにより、利用者は、利用者端末１２１を介して、タッチパネルやキーボードを用いる代わりに、文字などの入力をおこなうことができる。
【００４２】
通信ＩＦ２２５は、利用者端末１２１の内部と、認証サーバ１１１や通信装置１３１などの外部装置とのインタフェースをつかさどる。また、通信ＩＦ２２５は、電話回線網に接続され、音声通信に際して用いられることとしてもよい。
【００４３】
（通信装置１３１のハードウエア構成の一例）
つぎに、通信装置１３１のハードウエア構成の一例を説明する。図２Ｃは、通信装置１３１のハードウエア構成の一例を示すブロック図である。図２Ｃにおいて、利用者端末１２１は、ＣＰＵ２３１と、メモリ２３２と、操作部２３３と、センサ２３４と、駆動部２３５と、通信ＩＦ２３６と、を備える。また、通信装置１３１が備える各部２３１〜２３５は、バス２３０によってそれぞれ接続されている。
【００４４】
ＣＰＵ２３１は、通信装置１３１の全体の制御をつかさどる。ＣＰＵ２３１は、メモリ２３２が記憶する各種のプログラムやデータを用いて、通信装置１３１の全体の制御をつかさどる。メモリ２３２は、たとえば、ＲＯＭ、ＲＡＭ、ＨＤＤ、ＨＤ、およびフラッシュメモリなどによって実現することができる。
【００４５】
操作部２３３は、家電製品である通信装置１３１が有する家電の機能に対して、利用者から操作を受け付けるリモコンや操作ボタンを含む。操作部２３３は、受け付けた操作に応じた信号をＣＰＵ２３１に対して出力する。
【００４６】
センサ２３４は、家電製品である通信装置１３１が有する家電の機能に対して利用者から受け付けた内容で運転するための状態を検出する検出部である。たとえば、センサ２３４は、冷蔵庫の通信装置１３１においては、冷蔵庫内の温度を検出する温度センサである。センサ２３４は、検出結果を示す信号をＣＰＵ２３１に対して出力する。
【００４７】
駆動部２３５は、家電製品である通信装置１３１が有する機能に対して、利用者から受け付けた内容で運転させるための動作部である。たとえば、駆動部２３５は、冷蔵庫の通信装置１３１においては、気体冷媒を圧縮する圧縮機や、気体冷媒を気化する蒸発機などを含む。通信ＩＦ２３６は、通信装置１３１の内部と、認証サーバ１１１や利用者端末１２１などの外部装置とのインタフェースをつかさどる。
【００４８】
（各種ＤＢ１１２，１１３の記憶内容）
つぎに、図３Ａおよび図３Ｂを用いて、図１に示した認証サーバ１１１が有するカード情報データベース（ＤＢ）１１２および認証情報データベース（ＤＢ）１１３の記憶内容について説明する。各種ＤＢ１１２，１１３は、たとえば、メモリなどの記憶部により実現される。
【００４９】
図３Ａは、カード情報データベース（ＤＢ）１１２の記憶内容の一例を示す説明図である。図３Ａにおいて、カード情報ＤＢ１１２は、カード番号、名義人、利用者端末情報、有効期限、カード暗証番号、セキュリティコード、限度額、および現在までの利用額のフィールドを有する。各フィールドに情報を設定することで、カード情報（たとえば、カード情報３００−１〜３００−３）のレコードが記憶される。
【００５０】
カード番号は、クレジットカード１２２に記載される、たとえば１６桁の数字である。名義人は、クレジットカード１２２の名義人を示す。利用者端末情報は、たとえば、名義人が有する利用者端末１２１のアドレス情報である。有効期限は、クレジットカード１２２の利用可能な期限を示す。カード暗証番号は、認証に用いられる情報であり、クレジットカード１２２を利用する際に利用者が入力する情報である。セキュリティコードは、たとえば、クレジットカード１２２の裏面に記載される３桁の数字である。
【００５１】
限度額は、一定期間内（たとえば１ヶ月間）においてクレジットカード１２２を用いて支払をおこなうことのできる上限額を示す。また、現在までの利用額は、一定期間の開始（たとえば月初）から現在までの間にクレジットカード１２２を用いて支払をおこなった額の総額を示す。現在までの利用額は、クレジットカード１２２を用いて支払をおこなうたびに更新される。
【００５２】
たとえば、カード情報３００−１は、カード番号「１２３４…」、名義人「総研総太郎」、利用者端末情報「ＸＸＸ・・・＠ｘｘｘ」、有効期限「○○年○○月」、セキュリティコード「○○○」、限度額「￥○○万」、現在までの利用額「￥○○○○」を示す。なお、不図示であるが、現金を融資するキャッシングの利用が可能である場合には、キャッシングについての情報（限度額や現在までの利用額）もカード情報ＤＢ１１２に記憶される。
【００５３】
カード情報ＤＢ１１２に示す、カード番号、名義人、利用者端末情報、有効期限、セキュリティコード、および限度額については、クレジットカード１２２を新規に作成する際に、利用者の申告やカード会社の審査結果に応じて設定される。なお、カード情報ＤＢ１１２において、図示したフィールドのほかにも、名義人の住所、電話番号、生年月日等のフィールドを設けてもよい。
【００５４】
図３Ｂは、認証情報データベース（ＤＢ）１１３の記憶内容の一例を示す説明図である。図３Ｂにおいて、認証情報ＤＢ１１３は、認証情報ＩＤ（Ｉｄｅｎｔｉｆｉｃａｔｉｏｎ）、カード番号、通信装置１３１の名称、アドレス情報、付加情報、パスワード、および利用者端末１２１との近距離通信履歴のフィールドを有する。
【００５５】
各フィールドに情報を設定することで、認証情報（たとえば、認証情報３１０−１〜３１０−４）のレコードが記憶される。認証情報ＩＤは、認証情報３１０ごとに付される識別情報を示す。カード番号は、クレジットカード１２２に記載される、たとえば１６桁の番号である。カード番号は、カード情報ＤＢ１１２（図３Ａ参照）に記憶されるカード番号と同一である。そのため、認証情報３１０は、カード情報ＤＢ１１２のカード情報３００に対応付けられる。
【００５６】
通信装置１１３の名称は、たとえば、利用者の自宅に設置される家電製品の名称を示す。アドレス情報は、通信装置を特定するための特定情報であり、たとえば、ＭＡＣアドレス（Ｍｅｄｉａ  Ａｃｃｅｓｓ  Ｃｏｎｔｒｏｌ  Ａｄｄｒｅｓｓ）である。付加情報は、通信装置（家電製品）が有する特有の機能（家電機能）に基づいて得られる情報である。たとえば、付加情報は、通信装置が冷蔵庫であれば、冷蔵庫内の温度の情報である。
【００５７】
また、付加情報は、たとえば、通信装置１３１がエアコンであれば、室内の温度の情報であり、通信装置１３１がテレビであれば、設定中の音量の情報である。また、付加情報は、通信装置１３１が洗濯機であれば、設定中の運転モードの情報である。なお、付加情報は、通信装置１３１の家電機能が運転中であれば、現在の情報とし、通信装置１３１の家電機能が非運転中であれば、非運転となる直前に設定された情報としてもよい。
【００５８】
パスワードは、クレジットカード１２２を利用する際の認証に用いられる情報であり、利用者により任意に設定される。利用者端末１２１との近距離通信履歴は、通信装置１３１と利用者端末１２１とが最後に近距離通信をおこなった時間を示す。
【００５９】
たとえば、認証情報３１０−１は、認証情報ＩＤ「Ｃ００１」、カード番号「１２３４…」、通信装置の名称「冷蔵庫」、アドレス情報「○○○．○○．…」、付加情報「温度の情報」、パスワード「○○○○」、利用者端末１２１との近距離通信履歴「○月○日○時○分○秒」を示す。また、認証情報３１０−１以外の認証情報３１０−２〜３１０−４についても、同様に、認証情報ＤＢ１１３に記憶される。
【００６０】
また、認証情報３１０−１〜３１０−３は、同一のカード番号（名義人：総研総太郎）に対して、複数の通信装置１３１の名称が登録されていることを示す。認証情報３１０−１〜３１０−３において、通信装置１３１の名称に応じた、アドレス情報や付加情報やパスワードの情報が登録されている。
【００６１】
（本実施の形態にかかる認証システム１００の認証方法）
つぎに、図４を用いて、本実施の形態にかかる認証システム１００の認証方法について説明する。図４は、本実施の形態にかかる認証システム１００の認証方法の一例を示す図である。以下に示す括弧書きの番号は、図４に示す括弧書きの番号と対応する。
【００６２】
図４に示すように、たとえば、利用者４０１は、店舗４００を訪れ、店舗４００において、クレジットカード１２２を用いて支払をおこなう。クレジットカード１２２の利用にあたり、まず、利用者端末１２１は、利用者４０１から、パスワードの情報の入力と、予め登録された自宅４１０の通信装置１３１の指定を受け付ける。（１）利用者端末１２１は、利用者４０１からパスワードの情報の入力と通信装置１３１の指定とを受け付けると、パスワードの情報を暗号化して、指定された通信装置１３１へ送信する。
【００６３】
通信装置１３１は、利用者端末１２１から送信されたパスワードの情報を受信すると、暗号化した自身が特定されるための特定情報（たとえば、ＭＡＣアドレスなどのアドレス情報）を取得する。（２）そして、通信装置１３１は、利用者端末１２１から受信したパスワードの情報と、特定情報とを対応付けて認証サーバ１１１へ送信する。なお、以下の説明において、パスワードの情報および特定情報を、適宜「認証用の情報」と称する。
【００６４】
認証サーバ１１１は、通信装置１３１からパスワードの情報と特定情報とを受信すると、これらの情報を複合する。そして、認証サーバ１１１は、複合したパスワードの情報と、複合した特定情報とが、認証情報ＤＢ１１３（図３Ｂ参照）に記憶される認証情報３１０に含まれるか否かの認証をおこなう。
【００６５】
（３）認証サーバ１１１は、認証に成功すると、利用限度額内であるといったクレジットカード１２２の利用にかかる他の利用条件を満たした上で、クレジットカード１２２による決済を許可する。また、認証サーバ１１１は、クレジットカード１２２の利用が可能な旨を示すカード利用可能通知を利用者端末１２１へ送信する。なお、本実施の形態において、認証サーバ１１１は、決済を許可する機能を有することとするが、決済を許可する機能を有しなくてもよく、この場合、当該認証に成功することにより、クレジットカード１２２の利用が可能な旨を示す認証結果を、決済を許可する機能を有する他のサーバへ出力すればよい。
【００６６】
クレジットカード１２２の利用が可能となった場合、既に認証サーバ１１１によってパスワードの情報を用いた認証がおこなわれたことから、たとえば、ＰＯＳ端末を用いた暗証番号の入力や利用者のサインを要しないこととする。ただし、ＰＯＳ端末を用いた暗証番号の入力や利用者のサインを要することとしてもよい。これにより、パスワードの情報および特定情報を用いた認証と、暗証番号を用いた認証との複数の認証をおこなうことができ、認証強度を高めることができる。
【００６７】
一方で、認証サーバ１１１は、認証に失敗すると、エラーメッセージ等のクレジットカード１２２の利用が不可能な旨を示す通知を利用者端末１２１へ送信する。
【００６８】
本実施の形態にかかる認証システム１００において、利用者端末１２１は、利用者から受け付けたパスワードの情報を、利用者が指定した通信装置１３１へ送信する。そして、通信装置１３１は、利用者端末１２１から受信したパスワードの情報と、通信装置１３１を特定するための特定情報とを認証サーバ１１１へ送信する。
【００６９】
さらに、認証サーバ１１１は、通信装置１３１から受信したパスワードの情報と特定情報とを用いて認証をおこない、認証に成功した場合に、通信装置１３１から受信したパスワードの情報に対応する識別情報が示すカードの利用が可能な旨を示す認証結果を出力する。
【００７０】
このため、本実施の形態にかかる認証サーバ１１１によれば、クレジットカード１２２の暗証番号やカード番号を用いた認証をおこなわずに、利用者端末１２１から特定の通信装置１３１を介して受信したパスワードの情報と特定情報とを用いて認証をおこなうため、クレジットカード１２２の暗証番号やカード番号を漏洩することを抑止することができる。
【００７１】
また、仮に、何らかの原因により、クレジットカード１２２の暗証番号やカード番号が漏洩したとしても、第三者がパスワードの情報および宛先の情報を得ることは困難であることから、第三者は、クレジットカード１２２を利用することができない。これにより、第三者によるカードの不正な利用を抑制でき、クレジットカード１２２の利用にかかる安全性を向上させることができる。
【００７２】
また、本実施の形態にかかる認証システム１００において、利用者は、クレジットカード１２２を利用するにあたり、利用者端末１２１に、パスワードの情報の入力と、パスワードの情報の送信先となる宛先の指定とをおこなう必要がある。
【００７３】
また、仮に、パスワードの情報および宛先の情報のうちのいずれか一方が第三者に盗み取られたとしても、いずれか一方の情報だけでは、認証に成功しないため、第三者は、クレジットカード１２２を利用することができない。このため、第三者によるクレジットカード１２２の不正利用を抑制することができる。
【００７４】
つぎに、クレジットカード１２２の利用にかかる安全性をより向上させるべく、クレジットカード１２２を利用可能とする条件について、認証の成功に加えて、認証サーバ１１１が利用者端末１２１からの認証開始を示す情報を受信することについて説明する。
【００７５】
利用者端末１２１は、（１）通信装置１３１へパスワードの情報を送信すると、（ｉ）認証開始を示す情報を認証サーバ１１１へ送信する。認証サーバ１１１は、利用者端末１２１から認証開始を示す情報を受信し、且つ、通信装置１３１から受信した認証用の情報を用いた認証に成功した場合に、クレジットカード１２２の利用を可能にする。このように、クレジットカード１２２を利用可能にするための条件として、利用者端末１２１からの認証開始を示す情報の受信という条件を加えることにより、クレジットカード１２２の利用にかかる安全性をより向上させることができる。
【００７６】
つぎに、認証サーバ１１１が、利用者端末１２１および通信装置１３１の各装置からそれぞれ受信すべき情報を受信しない場合に、各装置に情報の送信要求をすることについて説明する。たとえば、認証サーバ１１１は、利用者端末１２１から認証開始を示す情報を受信したにもかかわらず、たとえば、エラーや通信障害等により、所定期間内に通信装置１３１から認証用の情報（パスワードの情報と特定情報）を受信しない場合がある。
【００７７】
（ｉｉ）この場合、認証サーバ１１１は、通信装置１３１に、認証用の情報の再送信を要求する。そして、通信装置１３１は、認証サーバ１１１から再送信の要求を受信すると、利用者端末１２１からパスワードの情報を受信している場合には、（２）再度、認証用の情報を認証サーバ１１１へ送信すればよい。
【００７８】
一方で、通信装置１３１は、認証サーバ１１１から再送信の要求を受信した場合に、たとえば、エラーや通信障害等により、利用者端末１２１からパスワードの情報を受信していない場合がある。（ｉｉｉ）この場合、通信装置１３１は、利用者端末１２１へパスワードの情報の再送信の要求をおこなえばよい。
【００７９】
そして、利用者端末１２１は、通信装置１３１から再送信の要求を受信すると、（１）再度、パスワードの情報を通信装置１３１へ送信すればよい。そして、通信装置１３１は、利用者端末１２１からパスワードの情報を受信すると、（２）受信したパスワードの情報と、特定情報とを認証サーバ１１１へ送信すればよい。
【００８０】
上述した説明では、認証サーバ１１１は、認証開始を示す情報を受信してから所定期間内に通信装置１３１から認証用の情報を受信しない場合に、通信装置１３１に対して、認証用の情報の送信要求をおこなうこととしたが、これに限らない。たとえば、認証サーバ１１１は、認証開始を示す情報を受信してから所定期間内に通信装置１３１から認証用の情報を受信しない場合に、利用者端末１２１に対して、通信装置１３１へのパスワードの情報の再送信を要求してもよい。
【００８１】
この場合、利用者端末１２１は、認証サーバ１１１からパスワードの情報の再送信の要求を受信すると、（１）に示すように、再度、パスワードの情報を通信装置１３１へ送信すればよい。そして、通信装置１３１は、利用者端末１２１からパスワードの情報を受信すると、（２）パスワードの情報と特定情報とを認証サーバ１１１へ送信すればよい。
【００８２】
このように、認証サーバ１１１は、通信装置１３１から認証用の情報（パスワードの情報と特定情報）を受信できない場合でも、利用者端末１２１に対してパスワードの情報の再送信の要求をおこなったり、通信装置１３１に対して認証用の情報の再送信の要求をおこなったりすることにより、認証用の情報を受信することができる。
【００８３】
また、認証サーバ１１１は、通信装置１３１から認証用の情報を受信したにもかかわらず、通信障害等により、所定期間内に利用者端末１２１から認証開始を示す情報を受信しない場合がある。この場合、認証サーバ１１１は、利用者端末１２１に、認証開始を示す情報の再送信の要求をおこなえばよい。
【００８４】
そして、利用者端末１２１は、認証開始を示す情報の再送信の要求を受信すると、（ｉ）認証開始を示す情報を認証サーバ１１１へ送信すればよい。これにより、認証サーバ１１１は、利用者端末１２１から認証開始を示す情報を受信し、且つ、通信装置１３１から受信した認証用の情報を用いた認証に成功した場合に、クレジットカード１２２の利用を可能にすることができる。
【００８５】
（認証システム１００の機能的構成）
図５は、本実施の形態にかかる認証システム１００の機能的構成を示す説明図である。図５において、認証システム１００は、認証サーバ１１１と、パスワード情報入力端末５００と、通信装置１３１とを有する。認証サーバ１１１は、受信部５０１と、認証部５０２と、出力制御部５０３と、決済部５０４と、送信部５０５と、記憶部５０６とを備える。
【００８６】
受信部５０１と、送信部５０５とは、たとえば、認証サーバ１１１の通信ＩＦ２１３（図２Ａ参照）によって実現される。また、認証部５０２と、出力制御部５０３とは、たとえば、認証サーバ１１１のメモリ２１２（図２Ａ参照）に記憶されたプログラムをＣＰＵ２１１に実行させることにより、その機能を実現する。記憶部５０６は、たとえば、図３Ｂの認証情報ＤＢ１１３によって実現される。ただし、記憶部５０６は、認証サーバ１１１に設けられずに、不図示の他の装置に設けられていてもよく、たとえば、クラウドサービスにおける他のサーバに具備されていてもよい。
【００８７】
受信部５０１は、認証用の情報を通信装置１３１から受信する。認証用の情報は、端末装置から通信装置１３１へ送信されたパスワードの情報と、通信装置１３１によって取得された通信装置１３１を特定するための特定情報と、を含む。
【００８８】
ここで、パスワード情報入力端末５００は、たとえば、クレジットカード１２２を用いた支払時に利用者が操作することが可能な端末装置であり、具体的には、利用者端末１２１である。ただし、パスワード情報入力端末５００は、利用者端末１２１に限らず、ＰＯＳ端末など、支払時に用いられる他の端末であってもよい。以下において、パスワード情報入力端末５００を利用者端末１２１として説明する。
【００８９】
利用者端末１２１は、受信部５３１と、パスワード入力部５３２と、宛先入力部５３３と、送信部５３４と、位置情報取得部５３５と、を有する。受信部５３１と、送信部５３４とは、たとえば、利用者端末１２１の通信ＩＦ２２５（図２Ｂ参照）によって実現される。
【００９０】
パスワード入力部５３２と、宛先入力部５３３とは、たとえば、利用者端末１２１の入力デバイス２２４（図２Ｂ参照）によって実現される。位置情報取得部５３５は、たとえば、利用者端末１２１のメモリ２２２（図２Ｂ参照）に記憶されたプログラムをＣＰＵ２２１に実行させることにより、その機能を実現する。
【００９１】
受信部５３１は、認証サーバ１１１や通信装置１３１から各種情報を受信する。パスワード入力部５３２は、利用者からパスワードの情報の入力を受け付ける。パスワードの情報は、利用者がクレジットカード１２２を利用する際に利用者によってその都度入力される。パスワードの情報は、たとえば、文字や数字の組合せである。パスワード入力部５３２は、パスワードの情報に代わって、生体情報の入力を受け付けてもよい。
【００９２】
宛先入力部５３３は、認証要求の依頼先の入力を利用者から受け付ける。具体的には、宛先入力部５３３は、利用者からパスワードの情報の宛先の入力を受け付ける。パスワードの情報の宛先は、パスワード情報の送信先となる通信装置１３１の宛先であり、たとえば、通信装置１３１のアドレスである。パスワードの情報の宛先は、通信装置１３１の名称（たとえば、家電製品の名称）を示す情報に対応付けられて利用者端末１２１に複数記憶される。
【００９３】
このため、宛先入力部５３３は、利用者によってパスワードの情報の送信先となる一の通信装置１３１の名称が指定されることにより、パスワードの情報の宛先を受け付ける。ただし、宛先入力部５３３は、一の通信装置１３１の名称が指定されることによってパスワードの情報の宛先を受け付けることに限らず、パスワードの情報の宛先（アドレス）の入力をその都度、受け付けてもよい。
【００９４】
また、この名称には、実際には登録されていない通信装置１３１の名称（ダミーの名称）が含まれることとしてもよい。これにより、仮に、第三者に利用者端末１２１が盗まれたとしても、第三者が、登録されている通信装置１３１の名称を指定することを困難にすることができるため、第三者によるクレジットカード１２２の不正な利用を抑制することができる。
【００９５】
送信部５３４は、利用者から受け付けたパスワードの情報を含む認証要求依頼を、利用者によって指定された名称に対応付けられる宛先（認証要求の依頼先）の通信装置１３１へ送信する。利用者端末１２１から通信装置１３１への情報の送信方式は、電子メールや、ＳＮＳ（Ｓｏｃｉａｌ  Ｎｅｔｗｏｒｋｉｎｇ  Ｓｅｒｖｉｃｅ）を用いてもよい。送信部５３４によってパスワードの情報が送信されると、利用者端末１２１は、パスワード入力部５３２に入力されたパスワードの情報と、宛先入力部５３３に入力された宛先を消去する。
【００９６】
また、上述したように、パスワード入力部５３２と、宛先入力部５３３とは、たとえば、利用者端末１２１の入力デバイス２２４（図２Ｂ参照）によって実現される。パスワードの入力や宛先の入力は、たとえば、キーボード、マウス、タッチパネルを用いた操作入力としてもよいし、マイクを用いた音声入力としてもよい。また、パスワードの入力や宛先の入力を音声入力とする場合、利用者端末１２１は、スマートフォンやＰＣ等に限らず、ＡＩ（Ａｒｔｉｆｉｃｉａｌ  Ｉｎｔｅｌｌｉｇｅｎｃｅ）スピーカによって実現することも可能である。
【００９７】
つぎに、通信装置１３１は、通信機能を有するコンピュータ装置である。たとえば、通信装置１３１は、ＩｏＴの機能を有するコンピュータ装置である。通信装置１３１は、受信部５１１と、送信制御部５１２と、送信部５１３と、特定情報取得部５１４と、付加情報取得部５１５と、を有する。
【００９８】
受信部５１１と、送信部５１３とは、たとえば、通信装置１３１の通信ＩＦ２３６（図２Ｃ参照）によって実現される。送信制御部５１２と、特定情報取得部５１４と、付加情報取得部５１５と、たとえば、通信装置１３１のメモリ２３２（図２Ｃ参照）に記憶されたプログラムをＣＰＵ２３１に実行させることにより、その機能を実現する。
【００９９】
受信部５１１は、認証要求の依頼先を受け付ける利用者端末１２１から、通信装置１３１（自装置）を依頼先とした認証要求依頼を受信する。具体的には、たとえば、受信部５１１は、パスワードの情報とパスワードの情報の宛先とを受け付ける利用者端末１２１から、通信装置１３１（自装置）を宛先としたパスワードの情報を受信する。
【０１００】
送信制御部５１２は、受信部５１１によって認証要求依頼が受信されることに応じて、認証サーバ１１１によって自装置が特定されるための特定情報を認証サーバ１１１へ送信させる制御を、送信部５１３に対しておこなう。具体的には、送信制御部５１２は、受信部５１１によってパスワードの情報が受信されることに応じて、パスワードの情報と、認証サーバ１１１によって自装置が特定されるための特定情報とを対応付けて認証サーバ１１１へ送信させる制御を、送信部５１３に対しておこなう。
【０１０１】
ここで、通信装置１３１の特定情報取得部５１４が特定情報を取得することについて説明する。特定情報取得部５１４は、受信部５１１によってパスワードの情報が受信されることに応じて、認証サーバ１１１によって通信装置１３１が特定されるための特定情報を取得する。
【０１０２】
特定情報は、通信装置１３１を一意に特定するための固有の情報であることが望ましい。具体的には、特定情報は、通信装置１３１に割り当てられる固有のアドレス情報であり、たとえば、ＭＡＣアドレスである。ただし、特定情報は、たとえば、固定ＩＰアドレス（Ｉｎｔｅｒｎｅｔ  Ｐｒｏｔｏｃｏｌ  Ａｄｄｒｅｓｓ）としてもよいし、また、通信装置１３１（家電製品）のシリアル番号としてもよい。
【０１０３】
また、特定情報が盗まれにくい（紛失されにくい）という観点からすると、通信装置１３１は、非可搬型のものが望ましい。具体的には、たとえば、通信装置１３１は、利用者の自宅で使用され、利用者が携行しない家電製品である。特に、通信装置１３１は、持ち運ばれる可能性の低い大型の家電製品が望ましい。大型の家電製品は、たとえば、冷蔵庫、エアコン、テレビ、洗濯機などである。ただし、通信装置１３１は、固定電話、ＡＩスピーカなどのＡＩ家電、デスクトップ型ＰＣなど、大型ではない家電製品（通信機器）とすることも可能である。
【０１０４】
送信部５１３は、特定情報を認証サーバ１１１へ送信する。具体的には、送信部５１３は、パスワードの情報と特定情報とを認証サーバ１１１へ送信する。送信部５１３による認証サーバ１１１への情報の送信方式は、電子メールやＳＮＳを用いてもよい。
【０１０５】
送信部５１３から特定情報が認証サーバ１１１に送信されて、認証サーバ１１１の受信部５０１によって特定情報が受信されたとする。この場合、認証サーバ１１１の認証部５０２は、カードの識別情報と対応付けて記憶部５０６（たとえば、図３Ｂの認証情報ＤＢ１１３）に記憶される特定情報と、受信部５０１によって受信された特定情報と、に基づいてカードの利用に関する認証をおこなう。
【０１０６】
具体的には、認証部５０２は、予め記憶された認証情報３１０（図３Ｂ参照）に含まれる特定情報と、受信部５０１によって受信された特定情報と、のそれぞれが一致するか否かの一致判定をおこない、一致した場合に認証に成功したものと判定する。一方で、認証部５０２は、当該一致判定において、一致しない場合に認証に失敗したものと判定する。
【０１０７】
また、送信部５１３からパスワードの情報と特定情報とが認証サーバ１１１に送信されて、認証サーバ１１１の受信部５０１によってパスワードの情報と特定情報とが受信されたとする。この場合、認証サーバ１１１の認証部５０２は、カードの識別情報と対応付けて記憶部５０６（たとえば、図３Ｂの認証情報ＤＢ１１３）に記憶されるパスワードの情報および特定情報と、受信部５０１によって受信されたパスワードの情報および特定情報と（認証用の情報）、に基づいてカードの利用に関する認証をおこなう。
【０１０８】
具体的には、認証部５０２は、予め記憶された認証情報３１０（図３Ｂ参照）に含まれるパスワードの情報および特定情報と、受信部５０１によって受信されたパスワードの情報および特定情報と、のそれぞれが一致するか否かの一致判定をおこない、一致した場合に認証に成功したものと判定する。一方で、認証部５０２は、当該一致判定において、一致しない場合に認証に失敗したものと判定する。
【０１０９】
また、ここでいうカードは、たとえば、クレジットカード１２２であるが、クレジットカード１２２に限らず、デビットカード、プリペイドカード、キャッシュカードなどでよい。カードの識別情報は、たとえば、クレジットカード１２２のカード番号である。
【０１１０】
出力制御部５０３は、認証部５０２による認証に成功した場合に、受信部５０１によって受信されたパスワードの情報に対応する識別情報が示すクレジットカード１２２の利用が可能な旨を示す認証結果を決済部５０４へ出力する。利用が可能となるクレジットカード１２２は、パスワードの情報に対応する識別情報が示すクレジットカード１２２に限らず、受信部５０１によって受信された特定情報に対応する識別情報が示すクレジットカード１２２としてもよい。出力制御部５０３による認証結果の出力先は、決済部５０４に限らず、決済部５０４を有する機能を他の装置が有する場合には、当該他の装置としてもよい。
【０１１１】
決済部５０４は、出力制御部５０３からクレジットカード１２２の利用が可能な旨を示す認証結果を受信すると、利用限度額内の利用であるといったクレジットカード１２２にかかる他の利用条件を具備の元、認証情報３１０（図３Ｂ参照）のうち、当該認証に用いられたパスワードの情報に対応するカード番号のクレジットカード１２２を利用可能にする（決済を許可する）。
【０１１２】
また、決済部５０４は、出力制御部５０３から認証結果を受信するとともに、クレジットカード１２２のカード番号および暗証番号を用いた認証に成功した場合に、クレジットカード１２２を利用可能にしてもよい。また、決済部５０４は、クレジットカード１２２を利用可能にしてから、所定期間が経過すると、クレジットカード１２２を利用不可能にする。所定期間は、たとえば、数分程度である。
【０１１３】
決済部５０４は、クレジットカード１２２の利用の可否を示す結果を送信部５０５に出力する。送信部５０５は、クレジットカード１２２の利用の可否を示す結果を利用者端末１２１へ送信する。送信部５１３による認証サーバ１１１への情報の送信方式は、電子メールやＳＮＳを用いてもよい。
【０１１４】
送信部５０５からクレジットカード１２２の利用の可否を示す結果が利用者端末１２１に送信されて、利用者端末１２１の受信部５３１によってクレジットカード１２２の利用の可否を示す結果が受信されたとする。この場合、利用者端末１２１は、クレジットカード１２２の利用の可否を示す結果を表示画面に表示する。これにより、利用者に、クレジットカード１２２が利用可能であるか否かを通知することができる。
【０１１５】
つぎに、通信装置１３１（家電製品）の付加情報取得部５１５が付加情報を取得することについて説明する。付加情報取得部５１５は、受信部５１１によってパスワードの情報が受信されることに応じて、付加情報を取得する。付加情報は、通信装置１３１（家電製品）が有する特有の機能（家電機能）に基づいて得られる情報である。
【０１１６】
付加情報の一例としては、通信装置１３１が冷蔵庫やエアコンであれば温度の情報であり、通信装置１３１がテレビであれば音量の情報であり、通信装置１３１が洗濯機であれば運転モードの情報である。また、付加情報の他の一例としては、たとえば、通信装置１３１が固定電話であれば電話番号の情報としたり、通信装置１３１がＡＩスピーカであればＡＩスピーカが取得可能な情報（たとえば、利用者の本日の予定の情報）としたりすることが可能である。
【０１１７】
送信制御部５１２は、受信部５１１によって受信されたパスワードの情報と、特定情報取得部５１４によって取得された特定情報と、付加情報取得部５１５によって取得された付加情報とを対応付けて認証サーバ１１１へ送信させる制御を、送信部５１３に対しておこなう。
【０１１８】
送信部５１３からパスワードの情報と特定情報と付加情報とが認証サーバ１１１に送信されて、認証サーバ１１１の受信部５０１によってパスワードの情報と特定情報と付加情報とが受信されたとする。この場合、認証サーバ１１１の認証部５０２は、カードの識別情報と対応付けて記憶部５０６（たとえば、図３Ｂの認証情報ＤＢ１１３）に記憶されるパスワードの情報、特定情報、および付加情報と、受信部５０１によって受信された、パスワードの情報、特定情報、および付加情報と、に基づいて認証をおこなう。
【０１１９】
たとえば、認証部５０２は、通信装置１３１が冷蔵庫であれば、パスワードの情報と特定情報との一致判定のほかに、冷蔵庫内の温度の情報が付加されているか否かの存否判定をおこなう。認証部５０２は、当該一致判定において一致し且つ当該存否判定において肯定の判定結果が得られた場合（冷蔵庫内の温度の情報が付加されている場合）に、認証に成功したものと判定する。一方で、認証部５０２は、当該一致判定および当該存否判定のうちのいずれか一方が否定判定された場合には、認証に失敗したものと判定する。
【０１２０】
ここで、複数の登録される通信装置１３１のそれぞれについて、利用条件を設定してもよい。たとえば、記憶部５０６は、複数の特定情報（複数の通信装置１３１）のそれぞれに対応付けて、利用条件を記憶してもよい。利用条件は、たとえば、月、日、曜日、時間帯などである。
【０１２１】
出力制御部５０３は、認証部５０２による認証に成功した場合であり、且つ、利用条件を満たす場合に、クレジットカード１２２の利用が可能な旨を示す認証結果を出力すればよい。一例を挙げると、記憶部５０６は、冷蔵庫（通信装置１３１）の特定情報に対応付けられる利用条件として、「奇数の月」を記憶する。この場合、出力制御部５０３は、認証部５０２により冷蔵庫の特定情報を用いた認証に成功した場合であり、且つ、現在の期日が奇数の月である場合に、クレジットカード１２２の利用が可能な旨を示す認証結果を出力すればよい。
【０１２２】
同様に、たとえば、記憶部５０６は、洗濯機（通信装置１３１）の特定情報に対応付けられる利用条件として「偶数の月」を記憶してもよい。また、たとえば、記憶部５０６は、冷蔵庫（通信装置１３１）の特定情報に対応付けられる利用条件として「休日」を記憶したり、洗濯機（通信装置１３１）の特定情報に対応付けられる利用条件として「平日」を記憶したりしてもよい。出力制御部５０３は、認証部５０２により各通信装置１３１の特定情報を用いた認証に成功した場合であり、且つ、現在の期日が利用条件を満たす期日である場合に、クレジットカード１２２の利用が可能な旨を示す認証結果を出力すればよい。
【０１２３】
このように、利用条件を設定することにより、利用者がクレジットカード１２２の利用にあたり、利用条件を満たす宛先（通信装置１３１）を、利用者が指定することを要する。また、クレジットカード１２２の利用が可能な旨を示す認証結果を出力するにあたり、認証に成功するという条件の他にさらに条件を加えることができるため、クレジットカード１２２の利用に係る安全性を向上させることができる。
【０１２４】
つぎに、利用者端末１２１から認証サーバ１１１へ認証開始を示す情報を送信することについて説明する。利用者端末１２１の送信部５３４は、通信装置１３１へ認証要求依頼（たとえば、パスワードの情報）を送信する際に、認証開始を示す情報を認証サーバ１１１へ送信する。認証開始を示す情報は、たとえば、クレジットカード１２２を用いた支払手続の開始を示す情報である。認証開始を示す情報は、利用者やクレジットカード１２２を識別する情報を含み、たとえば、カード番号の情報を含む。
【０１２５】
送信部５３４によって認証開始を示す情報が認証サーバ１１１へ送信され、認証サーバ１１１の受信部５０１によって、認証開始を示す情報が受信されたとする。この場合、出力制御部５０３は、受信部５０１によって認証開始を示す情報が受信され、且つ、認証部５０２による認証に成功した場合に、クレジットカード１２２の利用が可能な旨を示す認証結果を出力する。
【０１２６】
一方、出力制御部５０３は、認証部５０２による認証に成功したとしても、受信部５０１によって認証開始を示す情報が利用者端末１２１から受信されない場合には、クレジットカード１２２の利用が可能な旨を示す認証結果を出力しないこととしてもよい。このように、クレジットカード１２２の利用が可能な旨を示す認証結果を出力する条件を、認証の成功と、利用者端末１２１からの認証開始を示す情報の受信とし、条件を増やすことにより、クレジットカード１２２の利用にかかる安全性をより向上させることができる。
【０１２７】
つぎに、利用者端末１２１の位置情報取得部５３５が位置に関する情報を取得することについて説明する。位置に関する情報は、たとえば、利用者端末１２１（受信部５３１および送信部５３４）と、通信装置１３１（受信部５１１および送信部５１３）とが近距離通信をおこなったことを示す情報である。利用者端末１２１と通信装置１３１とが近距離通信をおこなった場合に、位置情報取得部５３５は、近距離通信をおこなったことを示す情報を取得する。
【０１２８】
近距離通信は、たとえば、Ｂｌｕｅｔｏｏｔｈ（登録商標）、ＮＦＣ（Ｎｅａｒ  Ｆｉｅｌｄ  Ｃｏｍｍｕｎｉｃａｔｉｏｎ）、Ｗｉ−Ｆｉ（登録商標）などによる通信である。ここで、通信装置１３１が自宅に設置されており、また、利用者が利用者端末１２１を外出時に持ち出すということを前提にすると、通信装置１３１と利用者端末１２１とが近距離通信をおこなうということは、利用者が在宅中であり、且つ、通信装置１３１が自宅に存在すると（盗難されていないと）認められることである。
【０１２９】
位置情報取得部５３５によって位置に関する情報が取得されると、送信部５３４は、位置に関する情報を認証サーバ１１１へ送信する。また、常時、利用者端末１２１と通信装置１３１とが近距離通信をおこなっていることにより、位置情報取得部５３５によって位置に関する情報が常時取得された場合、送信部５３４は、位置に関する情報を、所定期間（たとえば３０分）ごとに送信してもよい。送信部５３４から送信された位置に関する情報は、認証サーバ１１１において、図３Ｂに示した、利用者端末１２１との近距離通信履歴（更新日時）として記憶される。
【０１３０】
なお、位置情報取得部５３５は、利用者端末１２１が備えることとするが、これに限らず、通信装置１３１が備えていてもよい。言い換えれば、位置に関する情報は、利用者端末１２１および通信装置１３１のうちのいずれか一方によって取得されて、認証サーバ１１１へ送信さればよい。
【０１３１】
送信部５３４から位置に関する情報が認証サーバ１１１に送信されて、認証サーバ１１１の受信部５０１によって位置に関する情報が受信されたとする。この場合、認証サーバ１１１の出力制御部５０３は、認証部５０２による認証に成功した場合であり、且つ、受信部５０１によって受信された位置に関する情報に基づいて通信装置１３１が所定の位置にあると判断した場合に、クレジットカード１２２の利用が可能な旨を示す認証結果を出力する。所定の位置は、たとえば、自宅である。
【０１３２】
具体的には、出力制御部５０３は、所定期間内に、利用者端末１２１と通信装置１３１とが近距離通信をおこなったことを示す近距離通信履歴が受信部５０１によって受信されている場合に、通信装置１３１が自宅に存在すると判断する。所定期間は、たとえば、日常的に利用者が帰宅すると想定される期間であり、２４時間や４８時間といった期間である。たとえば、所定期間内の近距離通信履歴が認証情報ＤＢ１１３（図３Ｂ参照）に記憶されていれば、通信装置１３１が自宅に存在すると（盗難されていないと）認められることから、出力制御部５０３は、クレジットカード１２２の利用が可能な旨を示す認証結果を出力する。
【０１３３】
一方で、所定期間内（たとえば２４時間以内）の近距離通信履歴が認証情報ＤＢ１１３に記憶されていなければ、通信装置１３１が自宅に存在しないと（たとえば、盗難されたと）認められることから、出力制御部５０３は、クレジットカード１２２の利用が可能な旨を示す認証結果を出力しないこととする。ただし、旅行や出張などの利用者の都合により、利用者が所定期間帰宅しない場合には、所定期間内の近距離通信履歴が認証情報ＤＢ１１３に記憶されないこととなる。この場合に、利用者は、滞在先でクレジットカード１２２を利用できないことになってしまう。そこで、所定期間は、利用者によって適宜変更可能な期間としてもよい。
【０１３４】
また、たとえば、通信装置１３１がＧＰＳ（Ｇｌｏｂａｌ  Ｐｏｓｉｔｉｏｎｉｎｇ  Ｓｙｓｔｅｍ）機能を有する場合には、通信装置１３１の位置情報取得部（不図示）が、位置に関する情報として、ＧＰＳ情報（位置情報）を取得してもよい。この場合、通信装置１３１の送信部５１３は、位置情報取得部（不図示）によって取得されたＧＰＳ情報を認証サーバ１１１へ送信すればよい。
【０１３５】
送信部５１３からＧＰＳ情報が認証サーバ１１１に送信されて、認証サーバ１１１の受信部５０１によってＧＰＳ情報が受信されたとする。この場合、認証サーバ１１１の出力制御部５０３は、ＧＰＳ情報を用いて、自宅などの予め登録されたエリア内に通信装置１３１が存在するか否かを判断すればよい。
【０１３６】
つぎに、同一家族内で本認証方法を用いる場合について説明する。本認証方法は、利用者が指定した通信装置１３１へ送信されたパスワードの情報と、通信装置１３１の特定情報（アドレス情報）とを用いた認証に成功した場合にクレジットカード１２２が利用可能となる。言い換えれば、クレジットカード１２２の番号や暗証番号を用いずに、クレジットカード１２２を利用可能とすることができる。
【０１３７】
このため、たとえば、同一家族内の複数人（たとえば、父と母）の各クレジットカード１２２に対応付けて、同一の通信装置１３１に対して同一のパスワードの情報が登録されたとすると、本実施の形態にかかる認証が成功して、父のクレジットカード１２２が利用可能となるときに、母のクレジットカード１２２も利用可能となる。すなわち、複数のクレジットカード１２２が同時に利用可能となることが想定される。
【０１３８】
本実施の形態では、認証サーバ１１１は、認証をおこなう際に、利用者端末１２１からカード番号を含む認証開始の情報を受信することとするため、同一家族内の一の利用者のクレジットカード１２２の認証に成功した場合には、認証開始の情報に対応するカード番号のクレジットカード１２２のみを利用可能にすることができる。このため、たとえば、父のカード番号に対応するクレジットカード１２２が利用可能となった場合でも、母のカード番号に対応するクレジットカード１２２を利用可能にはならないようにすることができる。
【０１３９】
また、複数のクレジットカード１２２を同時に利用可能としないようにするためには、利用者端末１２１からの認証開始の情報に含まれるカード番号を参照することに限らず、たとえば、同一家族内の各人に、同一の通信装置１３１を登録することができないようにしてもよい。すなわち、通信装置１３１と利用者とを一対一で対応付けることとし、一の通信装置１３１に対して複数の利用者の重複登録を認めないこととしてもよい。これにより、同一家族内の各人に応じた通信装置１３１が登録されるため、複数のクレジットカード１２２が同時に利用可能とならないようにすることができる。
【０１４０】
また、複数のクレジットカード１２２が同時に利用可能とならないようにするためには、同一の家族内の各人に対応して、たとえば、通信装置１３１を識別可能に登録してもよい。たとえば、通信装置１３１を識別可能にするには、通信装置１３１の名称を各人に対応する名称として登録すればよい。具体的には、「冷蔵庫」を例に挙げると、「冷蔵庫父」、「冷蔵庫母」のように、各人に対応する名称として登録すればよい。
【０１４１】
より具体的には、認証サーバ１１１は、認証情報データベースＤＢ１１３（図３Ｂ）の「通信装置の名称」に「冷蔵庫父」や「冷蔵庫母」として各人ごとの名称を記憶しておけばよい。そして、利用者端末１２１は、パスワード入力部５３２によりパスワードの情報を受け付け、また、宛先入力部５３３により通信装置１３１の宛先を受け付け、さらに、不図示の名称入力部により各人に対応する名称の情報を受け付ければよい。各部が受け付けた情報は、送信部５３４によって通信装置１３１へ送信されればよい。そして、送信先の通信装置１３１は、利用者端末１２１から受信した情報に、特定情報を対応付けて認証サーバ１１１へ送信すればよい。
【０１４２】
これにより、認証サーバ１１１は、各人の名称に対応するクレジットカード１２２を利用可能にすることができる。このようにしても、複数のクレジットカード１２２が同時に利用可能とならないようにすることができる。
【０１４３】
つぎに、通信装置１３１が、認証サーバ１１１からの認証用の情報（パスワードの情報と特定情報）の送信要求に応じて、認証用の情報を認証サーバ１１１へ送信する場合について説明する。なお、以下では、認証用の情報を、パスワードの情報および特定情報とするが、特定情報のみとすることも可能である。
【０１４４】
認証サーバ１１１の受信部５０１は、利用者端末１２１から認証開始を示す情報を受信してから、たとえば通信障害等により、所定期間内（たとえば数十秒以内や数分以内）に、通信装置１３１から認証用の情報（パスワードの情報と特定情報）を受信しない場合が起こり得る。この場合、送信部５０５は、通信装置１３１に認証用の情報の再送信の要求をおこなってもよい。
【０１４５】
認証サーバ１１１の送信部５０５から認証用の情報の再送信の要求が通信装置１３１に送信されて、通信装置１３１の受信部５１１によって当該要求が受信されたとする。この場合、通信装置１３１の送信制御部５１２は、受信部５１１によって送信要求が受信された際に、既に利用者端末１２１からパスワードの情報を受信している場合、当該パスワードの情報と、特定情報とを対応付けて認証サーバ１１１へ再送信する。
【０１４６】
これにより、認証サーバ１１１が利用者端末１２１から認証開始を示す情報を受信したものの、所定期間内に、パスワードの情報と特定情報とを認証サーバ１１１が受信しなかった場合に、通信装置１３１は、認証サーバ１１１へパスワードの情報と特定情報とを再送信することができる。
【０１４７】
また、送信制御部５１２は、受信部５１１によって認証用の情報の再送信の要求が認証サーバ１１１から受信された際に、たとえば通信障害等により、利用者端末１２１からパスワードの情報を受信していない場合、利用者端末１２１へパスワードの情報の送信要求をおこなってもよい。
【０１４８】
これにより、通信装置１３１は、受信部５１１によって認証サーバ１１１から認証用の情報の再送信の要求を受信した際に、利用者端末１２１からパスワードの情報を受信していない場合、利用者端末１２１に、パスワードの情報を再送信させることができる。したがって、通信装置１３１は、利用者端末１２１からパスワードの情報を受信することができる。そして、通信装置１３１は、受信したパスワードの情報と特定情報とを対応付けた認証用の情報を認証サーバ１１１へ送信することができる。
【０１４９】
なお、認証用の情報を特定情報のみとした場合、送信制御部５１２は、受信部５１１によって認証用の情報の再送信の要求が認証サーバ１１１から受信された際に、たとえば通信障害等により、利用者端末１２１から認証要求依頼（パスワードの情報を含まない）を受信していない場合、利用者端末１２１へ認証要求依頼の送信要求をおこなってもよい。
【０１５０】
これにより、通信装置１３１は、受信部５１１によって認証サーバ１１１から認証用の情報の再送信の要求を受信した際に、利用者端末１２１から認証要求依頼を受信していない場合、利用者端末１２１に、認証要求依頼を再送信させることができる。したがって、通信装置１３１は、利用者端末１２１から認証要求依頼を受信することができる。そして、通信装置１３１は、特定情報（認証用の情報）を認証サーバ１１１へ送信することができる。
【０１５１】
また、認証サーバ１１１の受信部５０１は、通信装置１３１から認証用の情報を受信してから、所定期間内に、受信部５０１が利用者端末１２１から認証開始を示す情報が受信しない場合が起こり得る。この場合、送信部５０５は、利用者端末１２１に認証開始を示す情報の再送信の要求をおこなえばよい。これにより、認証サーバ１１１は、たとえば、通信障害等により、利用者端末１２１から認証開始を示す情報が受信されない場合でも、認証開始を示す情報を利用者端末１２１に再送信させることができる。
【０１５２】
ここで、認証サーバ１１１が通信装置１３１へ認証用の情報の送信要求を送信するのは、通信障害等が生じたときの再送信の場合に限らず、認証システム１００における認証方法の開始の場合とすることも可能である。これについて、以下に具体的に説明する。
【０１５３】
認証システム１００において、認証方法の開始の条件を、利用者端末１２１から認証サーバ１１１への認証開始を示す情報の送信としたとする。この場合、図４の（ｉ）→（ｉｉ）→（ｉｉｉ）の順序で各情報が送信され、その後、この送信要求を受けて、図４の（１）→（２）→（３）の順序で情報が送信される。
【０１５４】
具体的に説明すると、利用者端末１２１は、利用者からの所定の操作によって認証の開始を受け付けると、利用者端末１２１の送信部５３４は、認証サーバ１１１へ認証開始を示す情報を送信する。認証サーバ１１１の受信部５０１によって、利用者端末１２１から認証開始を示す情報が受信されると（図４の（ｉ）参照）、送信部５０５は、通信装置１３１へ認証用の情報の送信要求をおこなう（図４の（ｉｉ）参照）。
【０１５５】
そして、通信装置１３１の受信部５１１によって、認証サーバ１１１から当該送信要求が受信されると、送信制御部５１２の制御により、送信部５１３は、利用者端末１２１にパスワードの情報の送信要求をおこなう（図４の（ｉｉｉ）参照）。なお、ここでは、パスワードの情報の送信要求をおこなう場合について説明するが、パスワードの情報を含まない認証要求依頼の送信要求をおこなってもよい。
【０１５６】
そして、利用者端末１２１の受信部５３１によって、通信装置１３１からパスワードの情報の送信要求が受信されると、パスワード入力部５３２が利用者からパスワードの情報の入力を受け付け、また、宛先入力部５３３が利用者から送信先となる通信装置１３１の宛先の指定を受け付ける。パスワード入力部５３２および宛先入力部５３３によって各情報が受け付けられると、送信部５３４は、指定された宛先の通信装置１３１へパスワードの情報を送信する（図４の（１）参照）。
【０１５７】
さらに、通信装置１３１の受信部５１１によって、利用者端末１２１からパスワードの情報が受信されると、送信制御部５１２は、送信部５１３を制御して、パスワードの情報と特定情報とを対応付けて認証サーバ１１１へ送信させる（図４の（２）参照）。
【０１５８】
そして、認証サーバ１１１の受信部５０１によって、通信装置１３１からパスワードの情報と特定情報とが受信されると、認証部５０２は、パスワードの情報と特定情報とを用いて認証をおこなう。そして、認証部５０２による認証に成功すると、出力制御部５０３は、クレジットカード１２２による支払を可能にする（図４の（３）参照）。
【０１５９】
このような通信方法とすることにより、認証サーバ１１１からの要求に応じて、利用者端末１２１や通信装置１３１から各種情報を送信させることができるため、各種情報の送信を認証サーバ１１１で管理でき、クレジットカード１２２の不正利用をより抑制することも可能になる。
【０１６０】
（利用者端末１２１に表示される表示画面の一例）
つぎに、図６〜図８を用いて、利用者端末１２１に表示される表示画面の一例について説明する。図６は、利用者端末１２１に表示される操作画面の一例を示す説明図である。図６の認証画面６００は、クレジットカード１２２を利用する前に表示される画面である。認証画面６００は、所定のアプリケーションプログラムが起動することにより表示される。
【０１６１】
認証画面６００は、指定欄６０１と、プルダウンボタン６０２と、パスワード欄６０３と、送信ボタン６０４とを含む。指定欄６０１は、登録された複数の通信装置１３１（家電製品）のうち、一の通信装置１３１の指定を受け付ける。プルダウンボタン６０２は、登録された複数の通信装置１３１を表示させるためのボタンである。プルダウンボタン６０２によって表示される複数の通信装置１３１には、実際には認証サーバ１１１に登録されていない通信装置１３１（ダミーの名称）が含まれることとしてもよい。
【０１６２】
パスワード欄６０３は、指定欄６０１に指定された通信装置１３１に対応するパスワードの入力を受け付ける。送信ボタン６０４は、パスワード欄６０３に入力されたパスワードの情報を通信装置１３１へ送信するためのボタンである。
【０１６３】
送信ボタン６０４が操作されると、パスワード欄６０３に入力されたパスワードの情報が暗号化されて、指定欄６０１に指定された通信装置１３１へ送信される。また、送信ボタン６０４が操作されると、たとえば、指定欄６０１に指定された通信装置１３１を示す情報や、パスワード欄６０３に入力されたパスワードの情報は、表示領域から消去されるとともに、利用者端末１２１の所定の記憶領域から削除される。
【０１６４】
これにより、仮に、第三者に利用者端末１２１が盗まれたとしても、パスワードの情報や指定された通信装置１３１を示す情報が削除されているため、第三者が利用者端末１２１を用いて、クレジットカード１２２を不正に利用することを抑制することができる。
【０１６５】
パスワードの情報が通信装置１３１へ送信されると、通信装置１３１から、暗号化されたパスワードの情報と、暗号化された通信装置１３１の特定情報（自身のアドレス情報）とを含む認証用の情報が認証サーバ１１１へ送信される。認証サーバ１１１へ認証用の情報が送信されると、認証サーバ１１１では、これらの情報を用いて認証がおこなわれる。認証の結果を示す画面について、図７および図８を用いて説明する。
【０１６６】
また、認証画面６００において、プルダウンボタンによって、クレジットカード１２２の認証をおこなう複数の「認証サーバ」のうち、一の「認証サーバ」を指定することが可能な指定欄が含まれていてもよい。たとえば、この指定欄には、プルダウンボタンによって、本実施の形態にかかる「カード利用認証システム」の他にも、「○○カード会員サイト」、「○◇銀行ネットバンキングシステム」、その他金融関連システムに関係のない利用に際して認証を必要とするサービスなどが、利用者によって指定可能に含まれていてもよい。
【０１６７】
図７は、利用者端末１２１に表示される認証成功画面の一例を示す説明図である。図７の認証成功画面７００は、利用者が指定した通信装置１３１から認証用の情報が認証サーバ１１１へ送信されて、認証サーバ１１１において、当該認証用の情報を用いた認証に成功した場合に表示される画面である。
【０１６８】
これにより、利用者に、クレジットカード１２２が利用可能であることを通知することができる。ただし、クレジットカード１２２を利用可能にするに際しては、当該認証に成功することのほかにも、利用限度額内の利用であるといったクレジットカード１２２にかかる他の利用条件を具備することを条件とする。また、認証成功画面７００は、終了ボタン７０１を含む。終了ボタン７０１が操作されると、所定のアプリケーションプログラムを終了する。
【０１６９】
図８は、利用者端末１２１に表示される認証失敗画面の一例を示す説明図である。図８の認証失敗画面８００は、認証サーバ１１１における認証に失敗した場合に表示される画面である。これにより、利用者に、クレジットカード１２２を利用できないことを通知することができる。
【０１７０】
また、認証失敗画面８００は、認証画面ボタン８０１と、終了ボタン８０２とを含む。認証画面ボタン８０１が操作されると、図６の認証画面６００に移行する。終了ボタン８０２が操作されると、所定のアプリケーションプログラムを終了する。
【０１７１】
（利用者端末１２１がおこなう認証受付処理手順の一例）
つぎに、図９を用いて、利用者端末１２１がおこなう認証受付処理手順の一例について説明する。図９は、利用者端末１２１がおこなう認証受付処理手順の一例を示すフローチャートである。
【０１７２】
図９において、利用者端末１２１は、認証開始であるか否かを判断する（ステップＳ９０１）。認証開始とは、たとえば、図６の認証画面６００の画面を表示するための所定のアプリケーションプログラムが起動することである。所定のアプリケーションプログラムは、利用者が利用者端末１２１を操作することによって起動されてもよいし、利用者端末１２１が他の装置からの指示によって起動されてもよい。
【０１７３】
他の装置からの指示は、たとえば、ＰＯＳ端末にクレジットカード１２２を近付けることにより、近距離通信を用いたＰＯＳ端末から利用者端末１２１への指示であってもよい。また、他の装置からの指示は、認証サーバ１１１からの指示であってもよい。
【０１７４】
利用者端末１２１は、認証開始となるまで待つ（ステップＳ９０１：Ｎｏ）。利用者端末１２１は、認証開始となると（ステップＳ９０１：Ｙｅｓ）、通信装置１３１の指定とパスワードの入力を受け付ける（ステップＳ９０２）。そして、利用者端末１２１は、送信の指示を受け付けたか否かを判断する（ステップＳ９０３）。送信の指示を受け付けるとは、たとえば、図６の送信ボタン６０４が選択されることである。
【０１７５】
利用者端末１２１は、送信の指示を受け付けない場合（ステップＳ９０３：Ｎｏ）、ステップＳ９０２に移行する。利用者端末１２１は、送信の指示を受け付けた場合（ステップＳ９０３：Ｙｅｓ）、入力されたパスワードを暗号化する（ステップＳ９０４）。暗号化には、たとえば、公開鍵による暗号方式が用いられる。ただし、暗号化は、公開鍵による暗号方式に限らず、共通鍵による暗号方式など、他の暗号方式を用いることも可能である。
【０１７６】
そして、利用者端末１２１は、指定された通信装置１３１へパスワードの情報を送信するとともに（ステップＳ９０５）、認証サーバ１１１へ認証開始の情報を送信する（ステップＳ９０６）。パスワードの情報が送信されると、利用者端末１２１は、送信先を示す内容や、パスワードの情報を、所定の記憶領域から削除する。つぎに、利用者端末１２１は、認証結果を受信したか否かを判断する（ステップＳ９０７）。
【０１７７】
利用者端末１２１は、認証サーバ１１１から認証結果を受信するのを待つ（ステップＳ９０７：Ｎｏ）。利用者端末１２１は、認証サーバ１１１から認証結果を受信すると（ステップＳ９０７：Ｙｅｓ）、表示画面に認証結果（クレジットカード１２２の利用の可否を示す結果）を表示し（ステップＳ９０８）、本フローチャートによる一連の処理を終了する。認証結果の表示画面は、たとえば、図７の認証成功画面７００や図８の認証失敗画面８００である。
【０１７８】
上述した処理によれば、利用者端末１２１は、利用者から受け付けたパスワードの情報を、利用者が指定した通信装置１３１へ送信することができる。そして、送信先の通信装置１３１から、パスワードの情報と特定情報とが認証サーバ１１１へ送信され、認証サーバ１１１によって認証がおこなわれると、利用者端末１２１は、当該認証の結果（クレジットカード１２２の利用の可否を示す結果）を利用者に通知することができる。
【０１７９】
また、仮に、パスワードの情報および送信先の通信装置１３１の情報（たとえば宛先の情報）のいずれか一方の情報が第三者に盗み取られたとしても、いずれか一方の情報だけでは、認証サーバ１１１における認証には成功しない。このため、第三者によるクレジットカード１２２の不正利用を抑制することができる。
【０１８０】
（通信装置１３１がおこなう認証用の情報の送信処理手順の一例）
つぎに、図１０を用いて、通信装置１３１がおこなう認証用の情報の送信処理手順の一例について説明する。図１０は、通信装置１３１がおこなう認証用の情報の送信処理手順の一例を示すフローチャートである。図１０のフローチャートの実行主体となる通信装置１３１は、利用者がパスワードの情報の宛先を指定した通信装置１３１である。
【０１８１】
図１０において、通信装置１３１は、利用者端末１２１からパスワードの情報を受信したか否かを判断する（ステップＳ１００１）。通信装置１３１は、利用者端末１２１からパスワードの情報を受信しない場合（ステップＳ１００１：Ｎｏ）、ステップＳ１００６へ移行する。通信装置１３１は、利用者端末１２１からパスワードの情報を受信すると（ステップＳ１００１：Ｙｅｓ）、自身のアドレス情報を取得する（ステップＳ１００２）。
【０１８２】
取得したアドレス情報は、たとえば、暗号化されている。暗号化は、たとえば、公開鍵によるものである。なお、通信装置１３１は、暗号化されていないアドレス情報を取得して、当該アドレス情報を暗号化してもよい。
【０１８３】
そして、通信装置１３１は、付加情報（たとえば、冷蔵庫内の温度の情報）を取得する（ステップＳ１００３）。通信装置１３１は、付加情報についても暗号化することとする。つぎに、通信装置１３１は、認証用の情報（パスワードの情報、アドレス情報および付加情報）を認証サーバ１１１へ送信する（ステップＳ１００４）。
【０１８４】
そして、通信装置１３１は、認証サーバ１１１から受取確認を受信したか否かを判断する（ステップＳ１００５）。受取確認は、認証サーバ１１１が認証用の情報を受信した場合に、認証サーバ１１１から送信される情報である。
【０１８５】
通信装置１３１は、認証サーバ１１１から受取確認を受信した場合（ステップＳ１００５：Ｙｅｓ）、本フローチャートによる一連の処理を終了する。一方、通信装置１３１は、認証サーバ１１１から受取確認を受信しない場合（ステップＳ１００５：Ｎｏ）、認証サーバ１１１から認証用の情報の送信要求を受信したか否かを判断する（ステップＳ１００６）。
【０１８６】
認証サーバ１１１から通信装置１３１へ認証用の情報の送信要求が送信される場合とは、認証サーバ１１１が利用者端末１２１から認証開始を示す情報を受信したものの、たとえば通信障害等により、所定期間内に、認証サーバ１１１が認証用の情報を受信できていない場合である。通信装置１３１は、認証サーバ１１１から認証用の情報の送信要求を受信しない場合（ステップＳ１００６：Ｎｏ）、ステップＳ１００５に移行する。
【０１８７】
通信装置１３１は、認証サーバ１１１から認証用の情報の送信要求を受信した場合（ステップＳ１００６：Ｙｅｓ）、利用者端末１２１から既にパスワードの情報を受信しているか否かを判断する（ステップＳ１００７）。通信装置１３１は、利用者端末１２１から既にパスワードの情報を受信している場合（ステップＳ１００７：Ｙｅｓ）、すなわち、認証用の情報を送信済みの場合、ステップＳ１００２に移行することにより、認証用の情報を再送信する。
【０１８８】
一方、通信装置１３１は、たとえば通信障害等により、利用者端末１２１から未だパスワードの情報を受信していない場合（ステップＳ１００７：Ｎｏ）、利用者端末１２１へパスワードの情報の送信要求をおこない（ステップＳ１００８）、ステップＳ１００１に移行する。
【０１８９】
上述した処理によれば、通信装置１３１は、利用者端末１２１からパスワードの情報を受信し、当該パスワードの情報に自身のアドレス情報や付加情報を対応付けて、認証用の情報として認証サーバ１１１へ送信することができる。これにより、認証サーバ１１１は、当該認証用の情報を用いた認証をおこなうことができる。
【０１９０】
（認証サーバ１１１がおこなう認証処理手順の一例）
つぎに、図１１Ａおよび図１１Ｂを用いて、認証サーバ１１１がおこなう認証処理手順の一例について説明する。図１１Ａは、認証サーバ１１１がおこなう認証処理手順の一例を示すフローチャート（その１）である。図１１Ｂは、認証サーバ１１１がおこなう認証処理手順の一例を示すフローチャート（その２）である。
【０１９１】
図１１Ａにおいて、認証サーバ１１１は、利用者端末１２１から認証開始を示す情報を受信したか否かを判断する（ステップＳ１１０１）。通信装置１３１は、利用者端末１２１から認証開始を示す情報を受信しない場合（ステップＳ１１０１：Ｎｏ）、ステップＳ１１０４に移行する。一方、認証サーバ１１１は、利用者端末１２１から認証開始を示す情報を受信すると（ステップＳ１１０１：Ｙｅｓ）、当該情報を受信してから所定期間（たとえば数分）が経過したか否かを判断する（ステップＳ１１０２）。
【０１９２】
認証サーバ１１１は、認証開始を示す情報を受信してから所定期間が経過した場合（ステップＳ１１０２：Ｙｅｓ）、通信装置１３１へ認証用の情報の送信要求をおこない（ステップＳ１１０３）、ステップＳ１１０２に移行する。なお、通信装置１３１へ認証用の情報の送信要求を所定回数おこなったにもかかわらず、通信装置１３１から認証用の情報を受信できない場合には、ステップＳ１１０３における送信要求をおこなわずに、利用者端末１２１にエラーメッセージを出力させて、本フローチャートによる一連の処理を終了してもよい。
【０１９３】
ステップＳ１１０２において、認証サーバ１１１は、認証開始を示す情報を受信してから所定期間が経過していない場合（ステップＳ１１０２：Ｎｏ）、通信装置１３１から認証用の情報を受信済みであるか否かを判断する（ステップＳ１１０４）。認証サーバ１１１は、通信装置１３１から認証用の情報を受信済みではない場合（ステップＳ１１０４：Ｎｏ）、ステップＳ１１０１に移行する。
【０１９４】
認証サーバ１１１は、通信装置１３１から認証用の情報を受信済みである場合（ステップＳ１１０４：Ｙｅｓ）、通信装置１３１へ受取確認を送信する（ステップＳ１１０５）。そして、認証サーバ１１１は、認証用の情報（パスワードの情報とアドレス情報と付加情報）を複合し、複合したパスワードの情報と、複合したアドレス情報と、複合した付加情報と、図３Ｂの認証情報３１０と、を用いて認証処理をおこなう（ステップＳ１１０６）。たとえば、複合化には、秘密鍵が用いられる。
【０１９５】
そして、図１１Ｂにおいて、認証サーバ１１１は、認証に成功したか否かを判断する（ステップＳ１１０７）。認証サーバ１１１は、認証に失敗した場合（ステップＳ１１０７：Ｎｏ）、利用者端末１２１に認証失敗画面８００（図８参照）を出力させ（ステップＳ１１０８）、本フローチャートによる一連の処理を終了する。一方、認証サーバ１１１は、認証に成功した場合（ステップＳ１１０７：Ｙｅｓ）、利用者端末１２１から、所定期間内（たとえば２４時間以内）に位置に関する情報が受信されているか否かを判断する（ステップＳ１１０９）。
【０１９６】
ステップＳ１１０９において、認証サーバ１１１は、具体的には、位置に関する情報（たとえば、図３Ｂに示した認証情報３１０に含まれる、利用者端末との近距離通信履歴）を参照し、利用者端末１２１から、所定期間内に位置に関する情報が受信されたか否かを判断する。認証サーバ１１１は、利用者端末１２１から、所定期間内に位置に関する情報が受信されていない場合（ステップＳ１１０９：Ｎｏ）、ステップＳ１１０８に移行する。
【０１９７】
認証サーバ１１１は、利用者端末１２１から、所定期間内に位置に関する情報が受信されている場合（ステップＳ１１０９：Ｙｅｓ）、利用者端末１２１から、所定期間内（たとえば数分以内）に認証開始を示す情報を受信済みであるか否かを判断する（ステップＳ１１１０）。認証サーバ１１１は、利用者端末１２１から、所定期間内に認証開始を示す情報を受信済みである場合（ステップＳ１１１０：Ｙｅｓ）、ステップＳ１１１４に移行する。
【０１９８】
一方、認証サーバ１１１は、たとえば通信障害等により、利用者端末１２１から、所定期間内に認証開始を示す情報を受信済みではない場合（ステップＳ１１１０：Ｎｏ）、利用者端末１２１へ認証開始を示す情報の送信要求をおこなう（ステップＳ１１１１）。そして、認証サーバ１１１は、所定期間（たとえば数分）が経過したか否かを判断する（ステップＳ１１１２）。認証サーバ１１１は、所定期間が経過した場合（ステップＳ１１１２：Ｙｅｓ）、ステップＳ１１０８に移行する。
【０１９９】
一方、認証サーバ１１１は、所定期間が経過していない場合（ステップＳ１１１２：Ｎｏ）、利用者端末１２１から認証開始を示す情報を受信したか否かを判断する（ステップＳ１１１３）。認証サーバ１１１は、利用者端末１２１から認証開始を示す情報を受信しない場合（ステップＳ１１１３：Ｎｏ）、ステップＳ１１１２に移行する。
【０２００】
一方、認証サーバ１１１は、利用者端末１２１から認証開始を示す情報を受信した場合（ステップＳ１１１３：Ｙｅｓ）、利用限度額内の利用であるといったクレジットカード１２２にかかる他の利用条件を具備の元、クレジットカード１２２による決済を許可する（ステップＳ１１１４）。そして、利用者端末１２１に認証成功画面７００（図７参照）を出力させ（ステップＳ１１１５）、本フローチャートによる一連の処理を終了する。
【０２０１】
上述した処理によれば、認証サーバ１１１は、利用者端末１２１から認証開始を示す情報を受信し、且つ、通信装置１３１から認証用の情報を受信した場合に、認証をおこなって、認証用の情報に対応付けられるクレジットカード１２２を利用可能にすることができる。
【０２０２】
以上説明したように、本実施の形態では、利用者端末１２１と認証サーバ１１１との間に通信装置１３１を介在させることにより、利用者端末１２１と認証サーバ１１１との一対一の通信ではなく、３つの装置（認証サーバ１１１、利用者端末１２１、通信装置１３１）による通信とした。
【０２０３】
具体的には、本実施の形態にかかる認証サーバ１１１は、端末装置（たとえば、利用者端末１２１やＰＯＳ端末）に入力された認証要求の依頼先となる通信装置１３１へ認証要求依頼を送信し、通信装置１３１から特定情報（アドレス情報）を受信することとした。
【０２０４】
これにより、認証サーバ１１１は、認証情報ＤＢ１１３（図３Ｂ参照）を参照し、通信装置１３１から受信した特定情報（アドレス情報）が予め記憶（登録）されている情報である場合に、当該特定情報に対応する識別情報が示すクレジットカード１２２の利用が可能な旨を示す認証結果を出力することができる。
【０２０５】
また、本実施の形態にかかる認証サーバ１１１は、端末装置（たとえば、利用者端末１２１やＰＯＳ端末）に入力されたパスワードの情報を、利用者が指定した通信装置１３１へ送信し、通信装置１３１からパスワードの情報と特定情報（アドレス情報）とを受信することとした。
【０２０６】
これにより、認証サーバ１１１は、認証情報ＤＢ１１３（図３Ｂ参照）を参照し、通信装置１３１から受信したパスワードの情報およびアドレス情報の両方が予め記憶（登録）されている情報である場合に、当該パスワードの情報に対応する識別情報が示すクレジットカード１２２の利用が可能な旨を示す認証結果を出力することができる。
【０２０７】
このため、本実施の形態にかかる認証サーバ１１１によれば、クレジットカード１２２の暗証番号やカード番号を用いた認証をおこなわずに、クレジットカード１２２を利用可能にすることができる。したがって、クレジットカード１２２の暗証番号やカード番号が漏洩したり、スキミング等により盗まれたりすることを抑止することができる。
【０２０８】
また、仮に、何らかの原因により、クレジットカード１２２の暗証番号やカード番号が漏洩したとしても、暗証番号およびカード番号のみでは、第三者は、クレジットカード１２２を利用することができない。これにより、第三者によるカードの不正な利用を抑制でき、クレジットカード１２２の利用にかかる安全性を向上させることができる。
【０２０９】
また、本実施の形態にかかる認証システム１００において、利用者は、クレジットカード１２２を利用するにあたり、利用者端末１２１に、パスワードの情報の入力と、パスワードの情報の送信先となる宛先の指定とをおこなう必要がある。このため、仮に、パスワードの情報および宛先の情報のうちのいずれか一方が第三者に盗み取られたとしても、いずれか一方の情報だけでは、認証サーバ１１１における認証に成功しないため、第三者は、クレジットカード１２２を利用することができない。このため、本実施の形態にかかる認証サーバ１１１によれば、第三者によるクレジットカード１２２の不正利用を抑制することができる。
【０２１０】
また、本実施の形態にかかる認証サーバ１１１によれば、認証において、パスワードの情報だけでなく、パスワードの情報に対応付けられた通信装置１３１の特定情報を用いて認証をおこなうため、認証強度を高めることができる。
【０２１１】
また、本実施の形態によれば、利用者は、支払前に、利用者端末１２１に認証用の操作をおこなって、支払手続の準備をおこなうことができる。したがって、支払時に、ＰＯＳ端末への入力操作を省略することも可能になるため、店員が利用者に暗証番号の入力操作を促したり、サインを催促したりすることを不要にすることができる。これにより、認証サーバ１１１によれば、店舗における支払手続の簡素化および迅速化を図ることができるとともに、スキミング等も抑止できるため、クレジットカード１２２の不正利用を抑制することができる。
【０２１２】
また、本実施の形態において、認証サーバ１１１は、通信装置１３１が有する所定の機能に応じた付加情報を含む認証用の情報を用いて認証をおこなうこととした。これにより、認証サーバ１１１によれば、認証の強度を高めることができ、登録された通信装置１３１であることに対する信頼性を向上させることができる。よって、クレジットカード１２２の利用にかかる安全性をより向上させることができる。
【０２１３】
また、本実施の形態において、認証サーバ１１１は、認証に成功した場合であり、且つ、利用者端末１２１から送信される認証開始を示す情報を受信した場合に、クレジットカード１２２の利用が可能な旨を示す認証結果を出力することとした。これにより、クレジットカード１２２を利用可能にするための条件を、通信装置１３１からの認証用の情報の受信と、利用者端末１２１からの認証開始を示す情報の受信との複数の条件とすることができる。
【０２１４】
言い換えれば、認証用の情報と認証開始を示す情報とのうち、いずれか一方のみを受信しただけでは、クレジットカード１２２を利用可能にしないようにすることができる。したがって、認証サーバ１１１は、クレジットカード１２２の不正利用を抑制し、クレジットカード１２２の利用にかかる安全性を向上させることができる。
【０２１５】
また、本実施の形態において、認証サーバ１１１は、認証開始を示す情報を利用者端末１２１から受信した場合でも、通信装置１３１から認証用の情報を受信しない場合に、通信装置１３１に認証用の情報の再送信の要求をおこなうこととした。これにより、認証サーバ１１１は、たとえば、通信障害等により、通信装置１３１から認証用の情報を受信しない場合に、認証用の情報を通信装置１３１に再送信させることができる。
【０２１６】
また、本実施の形態にかかる認証サーバ１１１は、認証に成功した場合であり、且つ、通信装置１３１が所定の位置（たとえば自宅）にある場合に、クレジットカード１２２の利用が可能な旨を示す認証結果を出力することとした。これにより、認証サーバ１１１によれば、たとえば、通信装置１３１が自宅に存在する場合に（盗まれていない場合に）、クレジットカード１２２を利用可能にすることができる。したがって、認証サーバ１１１は、クレジットカード１２２の不正利用を抑制し、クレジットカード１２２の利用にかかる安全性を向上させることができる。
【０２１７】
また、本実施の形態において、認証サーバ１１１は、利用者ごとに複数の通信装置１３１を登録することを可能とした（図３Ｂの認証情報３１０−１〜３１０−３参照）。これにより、認証サーバ１１１は、利用者端末１２１において利用者が指定した一の通信装置１３１が、たとえば故障等により利用できない場合でも、他の通信装置１３１を代用でき、すなわち、当該他の通信装置１３１から認証用の情報を認証サーバ１１１に送信させることができる。
【０２１８】
したがって、本実施の形態にかかる認証サーバ１１１によれば、一の通信装置１３１を利用することができない場合でも、他の通信装置１３１から送信された認証用の情報を得て、クレジットカード１２２を利用可能にすることができる。
【０２１９】
また、本実施の形態において、通信装置１３１は、利用者端末１２１から自装置を宛先としたパスワードの情報を受信されることに応じて、パスワードの情報と特定情報とを対応付けて認証サーバ１１１へ送信させることとした。このように、パスワードの情報と特定情報とを対応付けて認証サーバ１１１へ送信することにより、認証サーバ１１１において認証強度の高い認証をおこなうことができる。したがって、本実施の形態にかかる通信装置１３１によれば、第三者によるクレジットカード１２２の不正利用を抑制することができる。
【０２２０】
また、本実施の形態において、特定情報を、通信装置１３１に割り当てられる固有のアドレス情報とし、通信装置１３１を、非可搬型の通信装置１３１とした。特に、通信装置１３１を、非可搬型の中でも、容易には持ち運びできない冷蔵庫などの大型の家電製品とすることにより、通信装置１３１が盗まれることを抑えることができ、これにより、特定情報（アドレス情報）が盗み取られることを抑制することができる。したがって、本実施の形態にかかる通信装置１３１によれば、クレジットカード１２２の不正利用に対する抑止効果を向上させることができる。
【０２２１】
また、本実施の形態にかかる通信装置１３１は、認証サーバ１１１から認証用の情報の送信要求が受信された際に、利用者端末１２１からパスワードの情報を受信している場合に、認証サーバ１１１へ認証用の情報を送信することとした。これにより、通信装置１３１は、認証サーバ１１１から通信装置１３１へ認証用の情報の送信要求があった場合に、通信装置１３１は認証サーバ１１１へ認証用の情報を再送信することができ、認証サーバ１１１に認証をおこなわせることができる。
【０２２２】
また、本実施の形態にかかる通信装置１３１は、認証サーバ１１１から認証用の情報の送信要求が受信された際に、利用者端末１２１からパスワードの情報を受信していない場合に、利用者端末１２１へパスワードの情報の送信要求をおこなうこととした。
【０２２３】
これにより、認証サーバ１１１から通信装置１３１へ認証用の情報の送信要求をしたものの、通信装置１３１が利用者端末１２１からパスワードの情報を受信していない場合に、通信装置１３１は、利用者端末１２１に、通信装置１３１へパスワードの情報を再送信させることができる。このため、通信装置１３１は、利用者端末１２１からパスワードの情報を受信することができ、さらに、受信したパスワードの情報と特定情報とを対応付けて認証サーバ１１１へ送信することができる。
【０２２４】
また、本実施の形態では、この発明の認証装置を、クレジットカード１２２による決済をおこなうカード会社の認証サーバ１１１（カード会社サーバ）によって実現した場合について説明したが、これに限らない。たとえば、銀行サーバや、カード会社以外の他の会社のサーバによっても、この発明の認証装置を実現することが可能である。また、クレジットカード１２２のＡＰＩ（Ａｐｐｌｉｃａｔｉｏｎ  Ｐｒｏｇｒａｍｍｉｎｇ  Ｉｎｔｅｒｆａｃｅ）を用いて、異業種間でも各種情報を共有することが可能となる場合には、たとえば、保険会社のサーバによっても、この発明の認証装置を実現することが可能である。
【０２２５】
なお、本実施の形態で説明した認証方法は、予め用意されたプログラムをパーソナルコンピュータやワークステーション等のコンピュータで実行することにより実現することができる。
【０２２６】
認証プログラムは、ハードディスク、フレキシブルディスク、ＣＤ（Ｃｏｍｐａｃｔ  Ｄｉｓｃ）−ＲＯＭ（Ｒｅａｄ  Ｏｎｌｙ  Ｍｅｍｏｒｙ）、ＭＯ（Ｍａｇｎｅｔｏ−Ｏｐｔｉｃａｌ  ｄｉｓｋ）、ＤＶＤ（Ｄｉｇｉｔａｌ  Ｖｅｒｓａｔｉｌｅ  Ｄｉｓｋ）、ＵＳＢ（Ｕｎｉｖｅｒｓａｌ  Ｓｅｒｉａｌ  Ｂｕｓ）メモリ等のコンピュータで読み取り可能な記憶媒体に記憶され、コンピュータによって記憶媒体から読み出されることによって実行される。また、認証プログラムは、インターネット等のネットワークを介して配布されてもよい。
【産業上の利用可能性】
【０２２７】
以上のように、この発明にかかる認証装置、認証方法、認証プログラム、および通信装置は、カードの認証に用いられる、認証装置、認証方法、認証プログラム、および通信装置に適している。
【符号の説明】
【０２２８】
１００  認証システム
１１１  認証サーバ
１１２  カード情報ＤＢ
１１３  認証情報ＤＢ
１２１  利用者端末
１３１  通信装置
１４０  ネットワーク
２１１，２２１，２３１  ＣＰＵ
２１２，２２２，２３２  メモリ
２１３，２２５，２３６  通信ＩＦ
２２３  出力デバイス
２２４  入力デバイス
２３３  操作部
２３４  センサ
２３５  駆動部
２１０，２２０，２３０  バス
５０１，５１１，５３１  受信部
５０２  認証部
５０３  出力制御部
５０４  決済部
５０５，５１３，５３４  送信部
５０６  記憶部
５１２  送信制御部
５１４  特定情報取得部
５１５  付加情報取得部
５３２  パスワード入力部
５３３  宛先入力部
５３５  位置情報取得部
【図１】
2019133465.tif 000003
【図２Ａ】
2019133465.tif 000004
【図２Ｂ】
2019133465.tif 000005
【図２Ｃ】
2019133465.tif 000006
【図３Ａ】
2019133465.tif 000007
【図３Ｂ】
2019133465.tif 000008
【図４】
2019133465.tif 000009
【図５】
2019133465.tif 000010
【図６】
2019133465.tif 000011
【図７】
2019133465.tif 000012
【図８】
2019133465.tif 000013
【図９】
2019133465.tif 000014
【図１０】
2019133465.tif 000015
【図１１Ａ】
2019133465.tif 000016
【図１１Ｂ】
2019133465.tif 000017